(57)【要約】【課題】本願発明は、容易に設置できる止水装置を提供することを目的とする。【解決手段】本願発明の止水装置１は、間隔を空けて設置された左右の支持体１０２Ｌ，１０２Ｒと、左右の支持体１０２Ｌ，１０２Ｒに着脱可能に取り付けられて立設される止水板１０３Ａ，１０３Ｂとを備えている。止水板１０３Ａ又は１０３Ｂにおける上下の水平面部１３４のうち少なくとも下側の水平面部１３４に、水平面部１３４の前後中央領域に基端が固定される水平面部パッキン部材１３６が左右方向に延設されている。水平面部パッキン部材１３６は、止水板１０３Ａ又は１０３Ｂに固定された基端から先端に向けて水平面部１３４の前後外側領域に向かって広がる形状を有する。【選択図】図１
2019214921.tif 000002
【特許請求の範囲】
【請求項１】
間隔を空けて設置された左右の支持体と、左右の前記支持体に着脱可能に取り付けられて立設される止水板とを備えた止水装置であって、
前記止水板は、左右の幅方向端面部より左右外側に突設した係止突起部を有する一方、前記支持体は、前記止水板の幅方向端面部と対向する内向き側面に形成された係止溝を有し、前記止水板が前記支持体に対して前後方向に移動されるとともに、前記係止突起部が前記支持体に設けた係止溝に嵌合されて係止されることで、前記止水板が前記支持体に接続される、止水装置。
【請求項２】
前記止水板の左右の幅方向端面部のそれぞれに、上下一対の係止突起部が設けられている、請求項１に記載の止水装置。
【請求項３】
前記支持体が、前記止水板の起立面部に当接する止水板取付け面部を、前記支持体が固定される側壁に沿って配置される縦長板状の突起保持部から突設させた形状を有する、請求項１又は２に記載の止水装置。
【請求項４】
前記止水板は、前後の起立面部における前記支持体と当接する領域に起立面部パッキン部材を備える、請求項１〜３のいずれか一項に記載の止水装置。
【請求項５】
前記止水板における上下の水平面部のうち少なくとも下側水平面部に、当該水平面部の前後中央領域に基端が固定される水平面部パッキン部材が左右方向に延設されており、該水平面部パッキン部材は、前記止水板に固定された基端から先端に向けて前記水平面部の前後外側領域に向かって広がる形状を有する、請求項１〜４のいずれか一項に記載の止水装置。
【発明の詳細な説明】
【技術分野】
【０００１】
本願発明は、止水装置に関するものである。
【背景技術】
【０００２】
従来、集中豪雨や洪水などの自然災害の際に、地下鉄駅や地下駐車場、建物などの構造物にその出入口から水が侵入するのを防止するために、当該出入口に止水板を設置することが行われる。
【０００３】
構造物の出入口に止水板を設置する技術として、間隔を空けて設置された左右の支持体に、止水板の左右端部位を着脱可能に設置して水を堰き止める止水装置が知られている（例えば特許文献１を参照）。特許文献１に開示された止水装置では、構造物の出入口の左右両側に支持体をそれぞれ設け、各支持体に設けられた対向溝に止水板を上方から落し込むことで、止水板が立設配置される。
【先行技術文献】
【特許文献】
【０００４】
【特許文献１】特開２００８−１６９５６１号公報
【発明の概要】
【発明が解決しようとする課題】
【０００５】
特許文献１に開示された止水装置では、止水板を設置する際には、左右の支持体の対向溝に止水板を落し込むために、止水板を支持体の対向溝よりも高い位置まで持ち上げる必要がある。止水板は、高い水圧に耐えられるように十分な強度が必要なので、重量が大きい。したがって、止水板を支持体の対向溝よりも高い位置（例えば１メートル以上）まで人力で持ち上げるのは困難を伴い、例えば年配者や女性などの非力な作業者が止水板を設置するのは困難であるという問題がある。また、止水板の下部を嵌め合わせる床レールを設ける必要があるため、止水装置を設置する際には、支持体の取り付けのみならず、床面に床レールを埋設させるなど、その設置工事が容易でなかった。
【０００６】
本願発明は、このような現状を改善すべく、容易に設置できる止水装置を提供することを目的とするものである。
【課題を解決するための手段】
【０００７】
本願発明の止水装置は、間隔を空けて設置された左右の支持体と、左右の前記支持体に着脱可能に取り付けられて立設される止水板とを備えた止水装置であって、前記止水板は、左右の幅方向端面部より左右外側に突設した係止突起部を有する一方、前記支持体は、前記止水板の幅方向端面部と対向する内向き側面に形成された係止溝を有し、前記止水板が前記支持体に対して前後方向に移動されるとともに、前記係止突起部が前記支持体に設けた係止溝に嵌合されて係止されることで、前記止水板が前記支持体に接続されるものである。
【０００８】
本願発明の止水装置によれば、止水板を前後へスライドさせることで、止水板を支持体の高さ以上に持ち上げなくても止水板を支持体に接続できるので、止水板を迅速且つ容易に設置できる。
【０００９】
上記止水装置において、前記止水板の左右の幅方向端面部のそれぞれに、上下一対の係止突起部が設けられているものとしてもよい。また、前記係止突起部は、矩形状の起立面部の中心位置（重心）に対して点対称になる位置に配置されているものとしてもよい。これにより、止水板を上下反転させたとしても、係止突起部を係止溝に係止できるため、緊急時において止水板の上下を確認せずとも容易に且つ迅速に支持体に接続できる。
【００１０】
上記止水装置において、前記止水板の前後の起立面部のそれぞれに、左右一対の起立面部パッキン部材が設けられているものとしてもよい。また、前記起立面部パッキン部材は、上下に延びる水膨張性止水材と、水膨張性止水材を左右で挟んで上下に延びる左右の耐水性止水材とで構成されているものとしてもよい。前記起立面部パッキン部材が水膨張性止水材を含む左右３重構造に形成されているので、前記起立面部と前記支持体との間の水密性を高めることができる。
【００１１】
上記止水装置において、前記支持体は、前記止水板の起立面部に当接する止水板取付け面部を、前記支持体が固定される側壁に沿って配置される縦長板状の突起保持部から突設させた形状を有する。すなわち、前記支持体は、平面視略Ｔ字形の形態を有し、側壁に沿って配置される縦長板状の突起保持部と、前記突起保持部の左右内向き側面に左右内向きに突設された縦長板状の止水板取付け面部とを備えている。
【００１２】
上記止水装置において、前記支持体の前記突起保持部には、上下一対の係止溝が設けられており、上下一対の前記係止溝はそれぞれ、前記突起保持部の左右内向き側面に露出するようにして、前記突起保持部の屋外向き端面から前記止水板取付け面部に向けて斜め下向きに形成されている。また、前記支持体の前記突起保持部の屋外向き端面において、前記係止溝の開口部位の下方に、屋外向きに突出した案内部が設けられているものとしてもよい。このとき、前記案内部の上面は、基端部側から斜め上向きに設けられており、前記係止溝の開口部位下辺に連続している。
【００１３】
上記止水装置において、上下一対の前記係止溝はそれぞれ、前記突起保持部の屋外向き端面に開口した開口部位と、該開口部位から斜め下向きに延びる傾斜部位を備えている。そして、下側の前記係止溝が、前記傾斜部位の前記止水板取付け面部側の端部に繋がる下向きの湾曲部位と、該湾曲部位に繋がる下向きの突起保持部位を備えており、上側の前記係止溝が、傾斜部位の止水板取付け面部側の端部に繋がる上向きの突起保持部位を備えている。また、下側の前記係止溝の前記傾斜部位は、上側の前記係止溝の前記傾斜部位よりも緩やかに傾斜している。
【００１４】
本願発明の止水装置は、間隔を空けて設置された左右の支持体と、左右の前記支持体に着脱可能に取り付けられて立設される止水板とを備えた止水装置であって、前記止水板における上下の水平面部のうち少なくとも下側水平面部に、当該水平面部の前後中央領域に基端が固定される水平面部パッキン部材が左右方向に延設されており、該水平面部パッキン部材は、前記止水板に固定された基端から先端に向けて前記水平面部の前後外側領域に向かって広がる形状を有するものである。
【００１５】
本願発明の止水装置によれば、止水板が下方へ移動するに従って、水平面部パッキン部材は、その先端部が床面に沿って前後外側へ変位するように弾性変形し、床面上のゴミや小石などの異物を止水板の下方から排除する。これにより、止水板と床面との間に異物が挟み込まれるのを防止でき、止水板と床面との間に高い水密性を確保できる。
【００１６】
上記止水装置において、前記水平面部パッキン部材は、前記水平面部の前後中央領域に基端が固定されて先端に向けて前記水平面部の前後外側領域に向かって広がる形状を有する止水材と、該止水材より前後外側で前記止水材と平行に延設されて前記止水材を押圧する押圧部材とから成るものとしてもよい。
【００１７】
上記止水装置において、前記止水板の上下の水平面部それぞれに、左右方向に延びる弾性体からなる２本の前記水平面部パッキン部材と、左右の前後方向パッキン部材が設けられているものとしてもよい。また、２本の前記水平面部パッキン部材は、前記止水板の水平面部の前後方向中央部を前後で挟んで互いに平行に配置されており、該前後方向中央部には、ストッパ突起部とストッパ受け凹部とが配置されるストッパ配置領域が設けられるものとしてもよい。
【００１８】
上記止水装置において、前記水平面部パッキン部材は、２本の弾性体による止水材と１本の弾性体による押圧部材とが平行に延設されて構成されているものとしてもよい。すなわち、前記水平面部パッキン部材は、前記水平面部の前後中央領域に基端が固定されて先端に向けて前記水平面部の前後外側領域に向かって広がる形状を有する２本の止水材と、前記止水材より前後外側で前記止水材と平行に延設されて前記止水材を押圧する押圧部材とから成る。
【００１９】
本願発明の止水装置は、間隔を空けて設置された左右の支持体と、左右の前記支持体に着脱可能に取り付けられて立設される止水板とを備えた止水装置であって、前記止水板は、前記支持体と当接する面より前記支持体に向けて突起させた係止突起部を有しており、前記止水板が前記支持体に対して前後方向に移動されるとともに、前記係止突起部が前記支持体に設けた係止穴に挿入されて係止されることで、前記止水板が前記支持体に接続されるものである。
【００２０】
上記止水装置において、前記係止突起部が、前記止水板における前後の起立面部のうち少なくとも一方の起立面部に複数設けられており、同一の前記起立面部に設けられた前記係止突起部は、前記起立面部の中心に対して点対称となる位置に配置されるものとしてもよい。これにより、止水板を上下反転させたとしても、係止突起部を係止穴に係止できるため、緊急時において止水板の上下を確認せずとも容易に且つ迅速に支持体に接続できる。
【発明の効果】
【００２１】
本願発明は、容易に設置できる止水装置を提供できる。
【図面の簡単な説明】
【００２２】
【図１】止水装置の一実施形態の全体を示す概略正面図である。
【図２】同止水装置を示す概略平面図である。
【図３】同止水装置の一方の止水板１０３Ａを示す図であり、（Ａ）は平面図、（Ｂ）は正面図である。
【図４】同止水板１０３Ａを示す図であり、（Ａ）は側面図、（Ｂ）は図３（Ｂ）のＡ−Ａ位置での縦断面図、（Ｃ）は（Ｂ）の上側のストッパ突起部周辺を示す拡大図である。
【図５】同止水装置の他方の止水板１０３Ｂを示す図であり、（Ａ）は平面図、（Ｂ）は正面図である。
【図６】止水板１０３Ａ，１０３Ｂの配置状態の一例を示す正面図である。
【図７】止水板１０３Ａ，１０３Ｂの配置状態の他の例を示す正面図である。
【図８】支持体を示す図であり、（Ａ）は平面図、（Ｂ）は正面図、（Ｃ）は側面図である。
【図９】同支持体を示す斜視図である。
【図１０】止水板の取付け動作の最初の工程を説明するための側面図である。
【図１１】同取付け動作の続きの工程を説明するための側面図である。
【図１２】同取付け動作のさらに続きの工程を説明するための側面図である。
【図１３】同取付け動作のさらに続きの工程を説明するための側面図である。
【図１４】同取付け動作時の係止突起部の動きを説明するための斜視図である。
【図１５】（Ａ）〜（Ｃ）は止水板の水平面部パッキン部材が床に密接する際の動作を説明するための概念図であり、（Ｄ）〜（Ｆ）は上下の止水板の水平面部パッキン部材同士が床に密接する際の動作を説明するための概念図である。
【図１６】止水装置の一実施形態の全体を示す概略正面図である。
【図１７】同止水装置を示す概略平面図である。
【図１８】同止水装置の一方の止水板３Ａを示す図であり、（Ａ）は平面図、（Ｂ）は正面図である。
【図１９】同止水板３Ａを示す図であり、（Ａ）は側面図、（Ｂ）は図１８（Ｂ）のＸ−Ｘ位置での縦断面図、（Ｃ）は（Ｂ）の上側のストッパ突起部周辺を示す拡大図である。
【図２０】同止水装置の他方の止水板を示す図であり、（Ａ）は平面図、（Ｂ）は正面図である。
【図２１】止水板３Ａ，３Ｂの配置状態の一例を示す正面図である。
【図２２】止水板３Ａ，３Ｂの配置状態の他の例を示す正面図である。
【図２３】支持体を示す図であり、（Ａ）は平面図、（Ｂ）は正面図、（Ｃ）は（Ｂ）のＵ−Ｕ位置に沿った横断面図、（Ｄ）は（Ａ）のＹ−Ｙ位置に沿った縦断面図である。
【図２４】同支持体を示す図であり、（Ａ）は背面図、（Ｂ）は図２３（Ａ）のＺ−Ｚ位置に沿った縦断面図、（Ｃ）は（Ｂ）の係止穴周辺を示す拡大図である。
【図２５】同支持体を示す図であり、（Ａ）は図２３（Ａ）のＰ−Ｐ位置に沿った縦断面図、（Ｂ）は図２３（Ｃ）のＱ−Ｑ位置に沿った縦断面図、（Ｃ）は（Ｂ）の係止穴周辺を示す拡大図である。
【図２６】係止突起部と係止穴との係合操作を説明するための概略斜視図であり、（Ａ）は係合前の状態、（Ｂ）は係止突起部が係止穴に挿入された状態、（Ｃ）は係止突起部が係止穴に係合された状態を示す。
【図２７】支持体への止水板３Ａの取付け動作を説明するための断面図である。
【図２８】支持体に止水板３Ａが取り付けられた状態を示す断面図であり、（Ａ）は支持体及び止水板の全体図、（Ｂ）は係止突起部周辺を示す拡大図、（Ｃ）は下側のストッパ突起部周辺を示す拡大図である。
【図２９】支持体への止水板３Ｂの取付け動作を説明するための断面図である。
【図３０】支持体に止水板３Ａ，３Ｂが取り付けられた状態を示す断面図であり、（Ａ）は支持体及び止水板の全体図、（Ｂ）は止水板３Ａ，３Ｂの連結部周辺を示す拡大図である。
【図３１】支持体からの止水板３Ａ，３Ｂの取外し操作を説明するための断面図であり、（Ａ）は止水板３Ｂを取り外すときの操作を、（Ｂ）は止水板３Ａを取り外すときの操作を示す。
【図３２】止水装置の他の実施形態における止水板３Ａを示す図であり、（Ａ）は平面図、（Ｂ）は正面図である。
【図３３】同止水装置の支持体を背面側から見た左右方向の縦断面図である。
【図３４】同支持体からの止水板３Ａ，３Ｂの取外し操作を説明するための断面図であり、（Ａ）は止水板３Ｂを取り外すときの操作を示し、（Ｂ）は止水板３Ａを取り外すときの操作を示す。
【図３５】止水装置のさらに他の実施形態の全体を示す概略正面図である。
【図３６】同止水装置を示す概略平面図である。
【図３７】同止水装置の止水板を示す図であり、（Ａ）は平面図、（Ｂ）は正面図である。
【図３８】同止水板を示す図であり、（Ａ）は側面図、（Ｂ）は図３７（Ｂ）のＢ−Ｂ位置での縦断面図、（Ｃ）は止水板下端部の構成を示す拡大断面図である。
【図３９】支持体を示す図であり、（Ａ）は平面図、（Ｂ）は正面図、（Ｃ）は側面図である。
【図４０】同支持体を示す斜視図である。
【図４１】止水板及び支持体の下端部周辺を拡大して示す前後方向に沿った縦断面図である。
【図４２】支持体の変形例を示す側面図である。
【発明を実施するための形態】
【００２３】
以下に、本願発明を具体化した実施形態を図面に基づいて説明する。また、各方向を特定するため、前後・左右の文言を使用するが、一対の支持体が間隔を空けて配置される方向を左右方向とし、これと直交した方向を前後方向と定義している。
【００２４】
図１及び図２に示すように、本実施形態の止水装置１０１は、例えば地下鉄駅や地下駐車場、建物などの構造物への水の侵入を防止するために、構造物の出入口Ｅに設置される。止水装置１０１は、間隔を空けて設置された左右の支持体１０２Ｌ，１０２Ｒと、左右の支持体１０２Ｌ，１０２Ｒに着脱可能に取り付けられて立設される止水板１０３Ａ，１０３Ｂとを備えている。
【００２５】
止水板１０３Ａ又は１０３Ｂにおける上下の水平面部１３４のうち少なくとも下側の水平面部１３４に、水平面部１３４の前後中央領域に基端が固定される水平面部パッキン部材１３６が左右方向に延設されている。水平面部パッキン部材１３６は、止水板１０３Ａ又は１０３Ｂに固定された基端から先端に向けて水平面部１３４の前後外側領域に向かって広がる形状を有する。
【００２６】
水平面部パッキン部材１３６の機能について説明すると、止水板１０３Ａ又は１０３Ｂが床面Ｆ上に設置されるときに、まず、止水材１３６ａの先端部が床面Ｆに接触する。そして、止水板１０３Ａ又は１０３Ｂが下方へ移動するに従って、止水材１３６ａは、その先端部が床面Ｆに沿って前後外側へ変位するように弾性変形し、床面Ｆ上のゴミや小石などの異物を止水板１０３Ａ又は１０３Ｂの下方から排除する。これにより、止水材１３６ａと床面Ｆとの間に異物が挟み込まれるのを防止でき、止水材１３６ａと床面Ｆとの間に高い水密性を確保できる。
【００２７】
止水板１０３Ａ，１０３Ｂは、左右の幅方向端面部１３９より左右外側に突設した係止突起部１３２を有する。一方、支持体１０２Ｌ，１０２Ｒは、前記止水板１０３Ａ，１０３Ｂの幅方向端面部１３９と対向する内向き側面１２２ａに形成された係止溝１２３，１２４を有する。止水板１０３Ａ，１０３Ｂが支持体１０２Ｌ，１０２Ｒに対して前後方向に移動されるとともに、係止突起部１３２が支持体１０２Ｌ，１０２Ｒに設けた係止溝１２３，１２４に嵌合されて係止されることで、止水板１０３Ａ，１０３Ｂが支持体１０２Ｌ，１０２Ｒに接続される。
【００２８】
これにより、止水板１０３Ａ，１０３Ｂを前後へスライドさせることで、止水板１０３Ａ，１０３Ｂを支持体１０２Ｌ，１０２Ｒの高さ以上に持ち上げなくても支持体１０２Ｌ，１０２Ｒに接続できるので、止水板１０３Ａ，１０３Ｂを迅速且つ容易に設置できる。
【００２９】
本実施形態では、左右の支持体１０２Ｌ，１０２Ｒは、出入口Ｅの左右端位置で床面Ｆに立設されるとともに、出入口Ｅの左右の側壁Ｗ及び床面Ｆとの間の水密性を接着剤又は弾性体などで確保しながら、側壁Ｗにボルトにて固着されている。また、止水板は、上下に分割された上下２枚の止水板１０３Ａ，１０３Ｂで構成されている。
【００３０】
図１〜図９を参照しながら、止水装置１０１の概略構成について説明する。図３及び図４に示された止水板１０３Ａに関し、底面図は平面図と同一であり、背面図は正面図と同一であり、左側面図は右側面図と同一である。また、図５に示された止水板１０３Ｂに関し、底面図は平面図と同一であり、背面図は正面図と同一であり、左側面図は右側面図と同一である。
【００３１】
図３〜図５に示すように、止水板１０３Ａ，１０３Ｂは、矩形板状の形態を有し、前後一対の起立面部１３１，１３１と、上下一対の水平面部１３４，１３４と、左右一対の幅方向端面部１３９，１３９とを有している。左右の幅方向端面部１３９，１３９のそれぞれに、上下一対の係止突起部１３２，１３２が左右外向きに突設されている。
【００３２】
止水板１０３Ａ，１０３Ｂには、上下の水平面部１３４，１３４のそれぞれに設けられた左右方向に延びる弾性体で形成される水平面部パッキン部材１３６が設けられている。また、止水板１０３Ａ，１０３Ｂには、前後の起立面部１３１，１３１における左右の幅方向端部位１３１ａ，１３１ａのそれぞれに、上下方向に延びる弾性体で形成される起立面部パッキン部材１３３が設けられている。止水板１０３Ａ，１０３Ｂの左右方向幅は、左右の支持体１０２Ｌ，１０２Ｒの突起保持部の左右内向き側面１２２ａ同士の間隔よりも少し小さく形成されている。
【００３３】
図１、図２、図８及び図９に示すように、左右の支持体１０２Ｌ，１０２Ｒは、出入口Ｅの側壁Ｗに沿って配置される突起保持部１２２と、突起保持部１２２の左右内向き側面１２２ａに突設された止水板取付け面部１２１とを備えている。突起保持部１２２には、下係止溝１２３及び上係止溝１２４の組が上下に２組設けられている。下係止溝１２３及び上係止溝１２４は、突起保持部１２２の屋外向き端面１２２ｂから止水板取付け面部１２１に向けて斜め下向きに形成されている。下係止溝１２３の止水板取付け面部１２１側の端部に下向きの突起保持部位１２３ｃが設けられ、上係止溝１２４の止水板取付け面部１２１側の端部に上向きの突起保持部位１２４ｃが設けられている。
【００３４】
止水板１０３Ａ，１０３Ｂを支持体１０２Ｌ，１０２Ｒに取り付ける際には、止水板１０３Ａ，１０３Ｂの上下の係止突起部１３２，１３２を下係止溝１２３及び上係止溝１２４に手前側（屋外側）から挿入する。下側の係止突起部１３２を下係止溝１２３の下向きの突起保持部位１２３ｃに嵌め込み、止水板１０３Ａ，１０３Ｂを斜め下向きに押し込むと、下側の水平面部パッキン部材１３６が押圧変形する一方で、上側の係止突起部１３２が上係止溝１２４の上向きの突起保持部位１２４ｃの下方に配置される。この状態で、止水板１０３Ａ，１０３Ｂを押し込む力を緩めると、下側の水平面部パッキン部材１３６の復元力によって、上側の係止突起部１３２が上向きの突起保持部位１２４ｃに嵌り込む。
【００３５】
これにより、下側の水平面部パッキン部材１３６が床面Ｆに密接するとともに、起立面部１３１の幅方向端部位１３１ａに設けられた起立面部パッキン部材１３３が止水板取付け面部１２１に密接し、止水板１０３Ａ，１０３Ｂと支持体１０２Ｌ，１０２Ｒ及び床面Ｆとの間の水密性が確保される。
【００３６】
このように、止水装置１０１によれば、止水板１０３Ａ，１０３Ｂを支持体１０２Ｒ，１０２Ｌの高さ以上に持ち上げなくても支持体１０２Ｒ，１０２Ｌに接続できるので、止水板１０３Ａ，１０３Ｂを迅速且つ容易に設置できる。また、止水板１０３Ａ，１０３Ｂを支持体１０２Ｒ，１０２Ｌの高さ以上に持ち上る必要がないので、年配者や女性などの非力な作業者であっても、止水板１０３Ａ，１０３Ｂを支持体１０２Ｒ，１０２Ｌに迅速且つ容易に設置できる。
【００３７】
図３〜図７を参照しながら、止水板１０３Ａ，１０３Ｂの詳細な構成について説明する。止水板１０３Ａ，１０３Ｂは、例えば炭素繊維強化プラスチック製又は金属製であり、矩形板状の形態を有する。止水板１０３Ａと止水板１０３Ｂは、後述するストッパ突起部１３７及びストッパ受け凹部１３８の位置及び個数が互いに異なることを除いて、同じ形態を有している。そこで、止水板１０３Ａの構成について説明した後、止水板１０３Ｂについて止水板１０３Ａとは異なる構成部分を説明する。なお、止水板１０３Ａ，１０３Ｂの内部は、中空部分を有する構造であってもよい。
【００３８】
図３及び図４に示すように、止水板１０３Ａの左右の幅方向端面部１３９，１３９のそれぞれに、上下一対の係止突起部１３２，１３２が設けられている。すなわち、止水板１０３Ａには、４本の係止突起部１３２が設けられている。係止突起部１３２は、左右方向に延びる金属製の円柱ピン部材で形成されている。
【００３９】
止水板１０３Ａにおいて、４本の係止突起部１３２は、矩形状の起立面部１３１の中心位置（重心）に対して点対称になる位置に配置されている。すなわち、４本の係止突起部１３２は、起立面部１３１の中心位置から同一距離だけ離れた位置に配置されている。具体的には、各幅方向端面部１３９において、上下の係止突起部１３２，１３２は、矩形状の幅方向端面部１３９の前後幅中心線に沿って、幅方向端面部１３９の中心位置から同一距離だけ離れた位置に配置されている。これにより、止水板１０３Ａを上下反転、左右反転及び前後反転させたとしても、係止突起部１３２は止水板１０３Ａにおいて同一位置に配置される。したがって、緊急時において止水板１０３Ａの上下、左右及び前後の向きを確認せずとも容易に且つ迅速に支持体１０２Ｌ，１０２Ｒに接続できる。
【００４０】
図３及び図４に示すように、止水板１０３Ａの上下の水平面部１３４，１３４のそれぞれに、左右方向に延びる弾性体からなる２本の水平面部パッキン部材１３６，１３６と、後述する左右の前後方向パッキン部材１３５，１３５が設けられている。前後方向パッキン部材１３５は、水平面部１３４の左右の幅方向端部位にそれぞれ設けられている。２本の水平面部パッキン部材１３６は、水平面部１３４の前後方向中央部を前後で挟んで互いに平行に配置されている。水平面部パッキン部材１３６の左右両端部は、左右の前後方向パッキン部材１３５に隙間なく接続されている。
【００４１】
各水平面部パッキン部材１３６は、２本の止水材１３６ａ，１３６ａと１本の押圧部材１３６ｂとで構成されている。すなわち、水平面部パッキン部材１３６は、水平面部１３４の前後中央領域に基端が固定されて先端に向けて水平面部１３４の前後外側領域に向かって広がる形状を有する止水材１３６ａと、止水材１３６ａより前後外側で止水材１３６ａと平行に延設されて止水材１３６ａを押圧する押圧部材１３６ｂとから成る。
【００４２】
２本の止水材１３６ａ，１３６ａは、互いに平行に左右方向に延びて配置されている。止水材１３６ａは、弾性体で形成されており、例えばゴム製である。各止水材１３６ａの基端部は、水平面部１３４に固定されている。各止水材１３６ａの先端部側は、平面視で水平面部１３４の前後方向中央部から離れる方向に、斜め外向きに傾斜している。すなわち、止水材１３６ａは、その先端部がその基端部よりも前後外側に位置する形態を有している。
【００４３】
２本の押圧部材１３６ｂは、止水材１３６ａに平行に左右方向に延びており、４本の止水材１３６ａを前後で挟んで配置されている。押圧部材１３６ｂは、弾性体で形成されており、例えば止水性を有する高反発スポンジ製である。押圧部材１３６ｂの基端部は、止水材１３６ａの基端部に対して前後外側の位置で、水平面部１３４に固定されている。また、押圧部材１３６ｂは、止水材１３６ａの先端部に対して上下方向で重なる位置に配置されている。止水材１３６ａの先端部と押圧部材１３６ｂとの間には空間が設けられている。
【００４４】
水平面部パッキン部材１３６の機能について説明すると、止水板１０３Ａ又は１０３Ｂが床面Ｆ上に設置されるときに、まず、止水材１３６ａの先端部が床面Ｆに接触する。そして、止水板１０３Ａ又は１０３Ｂが下方へ移動するに従って、止水材１３６ａは、その先端部が床面Ｆに沿って前後外側へ変位するように弾性変形し、床面Ｆ上のゴミや小石などの異物を止水板１０３Ａ又は１０３Ｂの下方から排除する。これにより、止水材１３６ａと床面Ｆとの間に異物が挟み込まれるのを防止でき、止水材１３６ａと床面Ｆとの間に高い水密性を確保できる。
【００４５】
図３及び図４に示すように、止水板１０３Ａの前後の起立面部１３１，１３１のそれぞれに、左右一対の起立面部パッキン部材１３３が設けられている。上述のように、起立面部パッキン部材１３３は、起立面部１３１の左右の幅方向端部位１３１ａ，１３１ａのそれぞれに設けられている。すなわち、止水板１０３Ａには、４本の起立面部パッキン部材１３３が設けられている。
【００４６】
図３及び図４に示すように、幅方向端部位１３１ａにおいて、起立面部パッキン部材１３３は、起立面部１３１の上下方向の一端から他端にわたって連続している。また、起立面部パッキン部材１３３は、上下に延びる水膨張性止水材１３３ａと、水膨張性止水材１３３ａを左右で挟んで上下に延びる左右の耐水性止水材１３３ｂ，１３３ｂとで構成されている。水膨張性止水材１３３ａは、例えば水膨張ゴム製である。耐水性止水材１３３ｂは、例えば断面Ｄ字形の中空のゴム製である。起立面部パッキン部材１３３が水膨張性止水材１３３ａを含む左右３重構造に形成されているので、起立面部１３１と止水板取付け面部１２１との間の水密性を高めることができる。
【００４７】
なお、平面視で前後に並ぶ２本の起立面部パッキン部材１３３，１３３の端部は、止水板１０３Ａの上下の水平面部１３４，１３４のそれぞれに設けられる前後方向パッキン部材１３５に連続している。すなわち、前後２本の起立面部パッキン部材１３３と上下２本の前後方向パッキン部材１３５は、連続して環状に設けられている。なお、前後方向パッキン部材１３５は、水膨張性止水材１３５ａと左右の耐水性止水材１３５ｂ，１３５ｂとで構成されており、起立面部パッキン部材１３３と同様に、左右３重構造に形成されている。
【００４８】
また、前後の起立面部１３１，１３１のそれぞれには、幅方向中央部に、４つの左右横長の取っ手凹部１３１ｂが設けられている。これらの取っ手凹部１３１ｂは、中心位置が起立面部１３１と同一位置の仮想長方形の４つの角部に配置されている。すなわち、止水板１０３Ａを左右反転しても又は上下反転しても、４つの取っ手凹部１３１ｂが止水板１０３Ａにおいて同一位置に位置するように構成されている。これにより、作業者が止水板１０３Ａを持ち運ぶ際に、止水板１０３Ａの向きにかかわらず、持ち上げたときの感覚を同じにできる。
【００４９】
図３及び図４に示すように、上下の水平面部１３４，１３４のそれぞれに、ストッパ突起部１３７とストッパ受け凹部１３８とが配置されるストッパ配置領域１３４ａが設けられている。本実施形態では、ストッパ配置領域１３４ａは、前後２本の水平面部パッキン部材１３６，１３６の間となる前後方向中央部における、水平面部１３４の左右方向中央部に設けられている。
【００５０】
上下２つのストッパ配置領域１３４ａのそれぞれに、水平面部１３４から上下方向に向けて突出するストッパ突起部１３７が設けられている。すなわち、止水板１０３Ａには、２つのストッパ突起部１３７が設けられている。各ストッパ突起部１３７は、矩形状の水平面部１３４の中央位置（左右方向中央位置かつ前後方向中央位置）に配置されている。これにより、止水板１０３Ａを左右反転しても又は上下反転しても、上下２つのストッパ突起部１３７が止水板１０３Ａにおいて同一位置に位置するように構成されている。
【００５１】
また、各ストッパ配置領域１３４ａには、ストッパ突起部１３７を左右で挟んで、左右のストッパ受け凹部１３８，１３８が形成されている。すなわち、止水板１０３Ａには、４つのストッパ受け凹部１３８が設けられている。ストッパ受け凹部１３８は、後述する止水板１０３Ｂのストッパ突起部１３７を収容可能なものであり、ストッパ受け凹部１３８の内径は、ストッパ突起部１３７の外径よりも少し大きく形成されている。
【００５２】
各ストッパ配置領域１３４ａにおいて、左右のストッパ受け凹部１３８，１３８は、水平面部１３４の中央位置に対して左右対称位置に配置されている。また、止水板１０３Ａにおいて、４つのストッパ受け凹部１３８は、水平面部１３４の中央位置から同一距離だけ離れた位置に設けられている。これにより、止水板１０３Ａを左右反転しても又は上下反転しても、４つのストッパ受け凹部１３８が止水板１０３Ａにおいて同一位置に位置するように構成されている。
【００５３】
次に、図５を参照しながら止水板１０３Ｂについて説明する。上述のように、止水板１０３Ａと止水板１０３Ｂは、ストッパ突起部１３７及びストッパ受け凹部１３８の位置及び個数が互いに異なることを除いて、同じ形態を有している。すなわち、止水板１０３Ｂは、左右の幅方向端面部１３９のそれぞれに、上下２本の係止突起部１３２を備えている。また、止水板１０３Ｂは、前後の起立面部１３１，１３１のそれぞれに、左右２本の起立面部パッキン部材１３３を備えている。また、止水板１０３Ｂは、上下の水平面部１３４，１３４のそれぞれに、左右２本の前後方向パッキン部材１３５と、左右方向に延びる前後２本の水平面部パッキン部材１３６と、水平面部１３４の左右方向中央部に設けられたストッパ配置領域１３４ａとを備えている。
【００５４】
止水板１０３Ｂにおいて、上下のストッパ配置領域１３４ａのそれぞれに、ストッパ受け凹部１３８が形成されている。すなわち、止水板１０３Ｂには、上下２つのストッパ受け凹部１３８が設けられている。ストッパ受け凹部１３８は、止水板１０３Ａのストッパ突起部１３７を収容可能なものである。各ストッパ受け凹部１３８は、水平面部１３４の中央位置に配置されている。これにより、止水板１０３Ｂを左右反転しても又は上下反転しても、２つのストッパ受け凹部１３８が止水板１０３Ａにおいて同一位置に位置するように構成されている。
【００５５】
また、止水板１０３Ｂの上下のストッパ配置領域１３４ａのそれぞれに、ストッパ受け凹部１３８を左右で挟んで、水平面部１３４から上下方向に向けて突出する左右のストッパ突起部１３７，１３７が設けられている。すなわち、止水板１０３Ｂには、４つのストッパ突起部１３７が設けられている。
【００５６】
各ストッパ配置領域１３４ａにおいて、左右のストッパ突起部１３７，１３７は、水平面部１３４の中央位置に対して左右対称位置に配置されている。また、止水板１０３Ｂにおいて、４つのストッパ突起部１３７は、水平面部１３４の中央位置から同一距離だけ離れた位置に設けられている。これにより、止水板１０３Ｂを左右反転しても又は上下反転しても、４つのストッパ突起部１３７が止水板１０３Ｂにおいて同一位置に位置するように構成されている。
【００５７】
図１に示すように、止水板１０３Ａ又は１０３Ｂが配置される床面Ｆに、複数の床面ストッパ受け凹部１４０が設けられている。本実施形態では、３つの床面ストッパ受け凹部１４０が床面Ｆに設けられている。床面ストッパ受け凹部１４０は、止水板１０３Ａのストッパ突起部１３７に対応する位置と、止水板１０３Ｂのストッパ突起部１３７に対応する位置とに設けられている。すなわち、床面ストッパ受け凹部１４０は、いずれの止水板１０３Ａ又は１０３Ｂが床面Ｆの上に配置されてもストッパ突起部１３７を収容できる位置に設けられている。
【００５８】
本実施形態の止水装置１０１では、止水板１０３Ａ，１０３Ｂは、左右の幅方向端面部１３９，１３９のそれぞれに左右方向に突出する上下２本の係止突起部１３２を備え、前後の起立面部１３１，１３１のそれぞれに上下方向に延びる左右２本の起立面部パッキン部材１３３を備えるとともに、上下の水平面部１３４，１３４のそれぞれに左右方向に延びる前後２本の水平面部パッキン部材１３６，１３６を備えている。４つの係止突起部１３２は、矩形板状の止水板１０３Ａ，１０３Ｂにおける左右の幅方向端面部１３９，１３９に、正面視で起立面部１３１の中心位置に対して点対称になる位置に配置されている。
【００５９】
本実施形態の止水装置１０１によれば、止水板１０３Ａ，１０３Ｂを上下反転させても、左右反転させても、所定の位置に４つの係止突起部１３２が位置する。したがって、止水板１０３Ａ，１０３Ｂを支持体１０２Ｌ，１０２Ｒに取り付ける際に、止水板１０３Ａ，１０３Ｂの向きを確認する作業が不要になるとともに、止水板１０３Ａ，１０３Ｂの取付け向きの間違いが無くなり、止水板１０３Ａ，１０３Ｂを支持体１０２Ｌ，１０２Ｒに迅速且つ正確に取り付けることができる。
【００６０】
また、本実施形態の止水装置１０１は、複数の止水板１０３Ａ，１０３Ｂが上下に並べられて支持体１０２Ｌ，１０２Ｒに取り付けられる構成である。そして、止水板１０３Ａ又は１０３Ｂは、上下の水平面部１３４，１３４のそれぞれに、上下方向に向けて突出するストッパ突起部１３７と、他の止水板１０３Ｂ又は１０３Ａのストッパ突起部１３７を収容可能なストッパ受け凹部１３８とを備えている。それぞれの止水板１０３Ａ，１０３Ｂで、ストッパ突起部１３７の左右方向位置が異なっているとともに、ストッパ受け凹部１３８が、他の止水板１０３Ｂ又は１０３Ａのストッパ突起部１３７の左右方向位置に対応して左右方向中央位置又は左右対称位置に設けられている。さらに、止水板１０３Ａ又は１０３Ｂが配置される床面Ｆに、複数の床面ストッパ受け凹部１４０が、いずれの止水板１０３Ａ又は１０３Ｂが床面Ｆの上に配置されてもストッパ突起部１３７を収容できる位置に設けられている。
【００６１】
したがって、本実施形態の止水装置１０１によれば、複数の止水板１０３Ａ，１０３Ｂを上下に並べて配置することで、止水板１０３Ａ，１０３Ｂの合計高さを高くできる構成でありながら、１枚あたりの止水板１０３Ａ，１０３Ｂの重量を小さくでき、止水板１０３Ａ，１０３Ｂの移動作業が容易になる。
【００６２】
また、上下の止水板１０３Ａ，１０３Ｂ同士の間、及び止水板１０３Ａ又は１０３Ｂと床面Ｆとの間を、ストッパ突起部１３７とストッパ受け凹部１３８又は床面ストッパ受け凹部１４０とで連結するので、水圧に起因する止水板１０３Ａ，１０３Ｂの湾曲を低減でき、止水板１０３Ａ，１０３Ｂの湾曲に起因する水密性の低下や止水板１０３Ａ，１０３Ｂの破損を防止できる。
【００６３】
また、本実施形態の止水装置１０１では、各止水板１０３Ａ，１０３Ｂでストッパ突起部１３７の左右方向位置が互いに異なっているとともに、各止水板１０３Ａ，１０３Ｂは、他の止水板１０３Ｂ又は１０３Ａのストッパ突起部１３７の左右方向位置に対応して左右方向中央位置又は左右対称位置にストッパ受け凹部１３８を備えていることから、各止水板１０３Ａ，１０３Ｂを上下反転させても、左右反転させても、止水板１０３Ａ，１０３Ｂ同士を上下に連結可能である。
【００６４】
また、止水板１０３Ａ又は１０３Ｂが配置される床面Ｆには、いずれの止水板１０３Ａ又は１０３Ｂが床面Ｆの上に配置されてもストッパ突起部１３７を収容できる位置に複数の床面ストッパ受け凹部１４０が設けられているので、いずれの止水板１０３Ａ又は１０３Ｂを床面Ｆの上に配置しても、ストッパ突起部１３７が床面ストッパ受け凹部１４０に収容される。これにより、各止水板１０３Ａ，１０３Ｂの向きや、止水板１０３Ａ，１０３Ｂを上下に並べる順番を気にすることなく、複数の止水板１０３Ａ，１０３Ｂを支持体１０２Ｌ，１０２Ｒに取り付けることができる。
【００６５】
すなわち、図１及び図６に示すように、止水板１０３Ａを床面Ｆの上に配置し、止水板１０３Ｂを止水板１０３Ａの上に配置することもできるし、図７に示すように、止水板１０３Ｂを床面Ｆの上に配置し、止水板１０３Ａを止水板１０３Ｂの上に配置することもできる。
【００６６】
したがって、本実施形態の止水装置１０１は、支持体１０２Ｌ，１０２Ｒに複数の止水板１０３Ａ，１０３Ｂを取り付ける構成でありながら、複数の止水板１０３Ａ，１０３Ｂを支持体１０２Ｌ，１０２Ｒに取り付ける際に、各止水板１０３Ａ，１０３Ｂの向き及び上下に並べる順番を確認する作業が不要になるとともに、各止水板１０３Ａ，１０３Ｂの取付け向きの間違いが無くなり、止水板１０３Ａ，１０３Ｂを支持体１０２Ｌ，１０２Ｒに素早く且つ正確に取り付けることができる。
【００６７】
次に、支持体１０２Ｌ，１０２Ｒの構成について説明する。図１及び図２に示すように、支持体１０２Ｌ，１０２Ｒは、平面視略Ｔ字形の柱状の形態を有し、左右対称の構成を有する。そこで、出入口Ｅの手前側（前側）から見て右側の支持体１０２Ｒについて説明し、左側の支持体１０２Ｌの詳細な説明は省略する。
【００６８】
図８及び図９に示すように、支持体１０２Ｒは、止水板１０３Ａ，１０３Ｂの起立面部１３１に当接する止水板取付け面部１２１を、出入口Ｅの側壁Ｗに沿って配置される縦長板状の突起保持部１２２から突設させた形状を有する。
【００６９】
図８及び図９に示すように、支持体１０２Ｒは、平面視略Ｔ字形の形態を有し、出入口Ｅの側壁Ｗに沿って配置される縦長板状の突起保持部１２２と、突起保持部１２２の左右内向き側面１２２ａに左右内向き（出入口Ｅの中央側向き）に突設された縦長板状の止水板取付け面部１２１とを備えている。止水板取付け面部１２１は、止水板１０３Ａ，１０３Ｂの幅方向端部位１３１ａが前後方向で対向配置される部分であり、止水板取付け面部１２１の屋外向き側面１２１ａに、止水板１０３Ａ，１０３Ｂの起立面部パッキン部材１３３が密着当接する。
【００７０】
突起保持部１２２には、上下一対の下係止溝１２３及び上係止溝１２４が上下に２組設けられている。下係止溝１２３及び上係止溝１２４は、突起保持部１２２の左右内向き側面１２２ａに露出するようにして、突起保持部１２２の屋外向き端面１２２ｂから止水板取付け面部１２１に向けて斜め下向きに形成されている。本実施形態では、下係止溝１２３及び上係止溝１２４は、突起保持部１２２を左右方向に貫通している。
【００７１】
下係止溝１２３及び上係止溝１２４は、突起保持部１２２の屋外向き端面１２２ｂに開口した開口部位１２３ａ，１２４ａと、開口部位１２３ａ，１２４ａから斜め下向きに延びる傾斜部位１２３ｂ，１２４ｂを備えている。下係止溝１２３は、傾斜部位１２３ｂの止水板取付け面部１２１側の端部に繋がる下向きの湾曲部位１２３ｄと、湾曲部位１２３ｄに繋がる下向きの突起保持部位１２３ｃを備えている。上係止溝１２４は、傾斜部位１２４ｂの止水板取付け面部１２１側の端部に繋がる上向きの突起保持部位１２４ｃを備えている。
【００７２】
上下一対の下係止溝１２３及び上係止溝１２４における開口部位１２３ａ，１２４ａの上下間隔は、止水板１０３Ａ，１０３Ｂの上下の係止突起部１３２，１３２の間隔とほぼ同じである。上係止溝１２４において、傾斜部位１２４ｂの開口部位１２４ａ側端部の下面に切欠き部位１２４ｄが形成されており、開口部位１２４ａの上下開口寸法は、傾斜部位１２４ｂの溝幅寸法よりも大きく形成されている。
【００７３】
下係止溝１２３の傾斜部位１２３ｂは、上係止溝１２４の傾斜部位１２４ｂよりも緩やかに傾斜している。また、傾斜部位１２３ｂに繋がる湾曲部位１２３ｄは、下方に向けて湾曲している。
【００７４】
また、突起保持部１２２の屋外向き端面１２２ｂには、下係止溝１２３の開口部位１２３ａの下方に、屋外向きに突出した案内部１２５が設けられている。案内部１２５の案内部上面１２５ａは、基端部側から斜め上向きに設けられており、下係止溝１２３の開口部位１２３ａ下辺に連続している。
【００７５】
次に、図１０〜図１５を参照しながら、支持体１０２Ｌ，１０２Ｒへの止水板１０３Ａ，１０３Ｂの取付け操作について説明する。なお、図１０〜図１５では、支持体１０２Ｌ，１０２Ｒのうち支持体１０２Ｒのみを図示しているが、上述のように支持体１０２Ｌ，１０２Ｒは左右対称に設けられるので、支持体１０２Ｌについても同様の取付け操作が行われる。また、以下に説明する取付け操作では、止水板１０３Ａを床面Ｆ上に設置した後、止水板１０３Ａ上に止水板１０３Ｂを設置しているが、止水板１０３Ｂを床面Ｆ上に設置した後に止水板１０３Ａを設置するときの取付け操作も同様である。
【００７６】
図１１（Ａ）及び図１４（Ａ）に示すように、止水板１０３Ａの幅方向端部位１３１ａを支持体１０２Ｌ，１０２Ｒの止水板取付け面部１２１に対峙させながら、止水板１０３Ａの下側の係止突起部１３２を支持体１０２Ｌ，１０２Ｒの案内部１２５上に載置する。止水板１０３Ａの上側の取っ手凹部１３１ｂを把持して止水板１０３Ａを持ち上げた状態では、止水板１０３Ａは概ね鉛直方向に沿って起立するので、下側の係止突起部１３２を案内部１２５上に載置すると、上側の係止突起部１３２の高さ位置が支持体１０２Ｌ，１０２Ｒの上係止溝１２４の開口部位１２４ａに合わせられる。
【００７７】
上述のように、止水板１０３Ａの係止突起部１３２は、止水板１０３Ａの上下向き、左右向き、前後向きに関わらず、止水板１０３Ａにおける同一位置に配置される。したがって、止水板１０３Ａを取り付ける作業者は、止水板１０３Ａの向きを確認することなく、上下の係止突起部１３２，１３２を下係止溝１２３及び上係止溝１２４に迅速に挿入できる。
【００７８】
図１１（Ｂ）及び図１４（Ｂ）に示すように、止水板１０３Ａの自重で、又は止水板１０３Ａを屋内側へ（止水板取付け面部１２１側へ）押し込むことで、下側の係止突起部１３２は案内部上面１２５ａに沿ってスライドして下係止溝１２３の開口部位１２３ａに挿入されるとともに、上側の係止突起部１３２は上係止溝１２４の開口部位１２４ａに挿入される。開口部位１２３ａ，１２４ａに挿入された上下の係止突起部１３２，１３２は、傾斜部位１２３ｂ，１２４ｂに沿って斜め下向きにスライドする。
【００７９】
上述のように、下係止溝１２３の傾斜部位１２３ｂは、上係止溝１２４の傾斜部位１２４ｂよりもゆるやかに傾斜しているので、傾斜部位１２３ｂと１２４ｂとの上下間隔は、止水板取付け面部１２１側へ向かうほど狭くなる。一方、止水板１０３Ａの上下の係止突起部１３２，１３２の間隔は一定である。したがって、上下の係止突起部１３２，１３２が傾斜部位１２３ｂ，１２４ｂ内を移動するときに、止水板１０３Ａは、下部側のほうが上部側よりも止水板取付け面部１２１に近くなるように傾く。
【００８０】
図１０（Ｃ）に示すように、下側の係止突起部１３２は、下係止溝１２３の傾斜部位１２３ｂに沿って湾曲部位１２３ｄに導かれる。湾曲部位１２３ｄは、下側の係止突起部１３２が傾斜部位１２３ｂから突起保持部位１２３ｃへ移動する際に、止水板１０３Ａの起立面部１３１と水平面部１３４が交わる角部が支持体１０２Ｌ，１０２Ｒの止水板取付け面部１２１に接触しない程度に、下向きに湾曲している。これにより、止水板１０３Ａの起立面部１３１と水平面部１３４が交わる角部が止水板取付け面部１２１に接触するのを防止でき、当該角部や係止突起部１３２の損傷を防止できるとともに、止水板１０３Ａの移動がスムーズになる。
【００８１】
下側の係止突起部１３２が下係止溝１２３の湾曲部位１２３ｄに位置する状態で、止水板１０３Ａは、下部側のほうが上部側よりも止水板取付け面部１２１に近くなるように傾いている。止水板１０３Ａの起立面部パッキン部材１３３のうち、支持体１０２Ｌ，１０２Ｒの止水板取付け面部１２１に対向する起立面部パッキン部材１３３の下方寄り部位が弾性変形して止水板取付け面部１２１に密着当接する。また、止水板１０３Ａの下側のストッパ突起部１３７の先端部が床面Ｆの床面ストッパ受け凹部１４０に挿入される。
【００８２】
図１１（Ａ）及び図１４（Ｃ）に示すように、止水板１０３Ａを斜め下向きに押し込むと、止水板１０３Ａが下降し、下側の係止突起部１３２が下係止溝１２３の下向きの突起保持部位１２３ｃに嵌り込む一方、上側の係止突起部１３２が上係止溝１２４の上向きの突起保持部位１２４ｃの下方に配置される。このとき、止水板１０３Ａは、止水板取付け面部１２１に沿って略鉛直方向に起立した状態になり、止水板取付け面部１２１に対向する起立面部パッキン部材１３３が弾性変形して止水板取付け面部１２１に密着当接する。また、下側の水平面部１３４の前後方向パッキン部材１３５及び水平面部パッキン部材１３６が弾性変形して床面Ｆに密着当接する。また、止水板１０３Ａの下側のストッパ突起部１３７が床面Ｆの床面ストッパ受け凹部１４０に挿入される。
【００８３】
止水板３Ａの下降に伴って下側の水平面部パッキン部材１３６が床面Ｆに密着する際、まず、図１５（Ａ）に示すように、先端部側が前後外向きに傾斜する止水材１３６ａの先端部が床面Ｆに当接する。止水板３Ａがさらに下降すると、図１５（Ｂ）に示すように、止水材１３６ａは、その先端部が前後外側へ変位するように弾性変形する。このとき、止水材１３６ａの先端部は、止水材１３６ａ及び押圧部材１３６ｂの下方で床面Ｆ上に存在するゴミや小石などの異物Ｓを、止水板３Ａの下方から排除するように前後外側へ押し出す。これにより、止水材１３６ａと床面Ｆとの間に異物が挟み込まれるのを防止でき、止水材１３６ａと床面Ｆとの間に高い水密性を確保できる。また、押圧部材１３６ｂは、止水板３Ａの下降に伴って止水材１３６ａの中途部を床面Ｆに向けて押圧するとともに、弾性変形する。
【００８４】
図１１（Ｂ）、図１４（Ｄ）及び図１５（Ｃ）に示すように、止水板１０３Ａを押し込む力を開放すると、下側の前後方向パッキン部材１３５及び水平面部パッキン部材１３６の復元力によって、止水板１０３Ａ全体が上向き移動し、上側の係止突起部１３２が上向きの突起保持部位１２４ｃに嵌り込む。上側の係止突起部１３２は、上係止溝１２４の突起保持部位１２４ｃによって前後方向及び上向きの移動が規制される。下側の係止突起部１３２は、下係止溝１２３の下向きの突起保持部位１２３ｃ内に位置し、前後方向の移動が規制される。
【００８５】
このように、止水板１０３Ａの係止突起部１３２を支持体１０２Ｌ，１０２Ｒの下係止溝１２３及び上係止溝１２４に挿入した後に止水板１０３Ａを斜め下方へ押し込むという簡単な操作で、止水板１０３Ａを支持体１０２Ｌ，１０２Ｒに確実に接続できる。
【００８６】
また、止水板１０３Ａを支持体１０２Ｌ，１０２Ｒに取り付けた状態で、止水板１０３Ａの下側の前後方向パッキン部材１３５及び水平面部パッキン部材１３６が床面Ｆに密接するとともに、止水板取付け面部１２１側の起立面部パッキン部材１３３が止水板取付け面部１２１に密接し、止水板１０３Ａと支持体１０２Ｌ，１０２Ｒ及び床面Ｆとの間の水密性が確保される。なお、上側の係止突起部１３２の上向き移動が上係止溝１２４の突起保持部位１２４ｃによって規制されるので、止水板１０３Ａの浮き上がりが防止される。
【００８７】
また、止水板１０３Ａの下側のストッパ突起部１３７の先端側が床面Ｆの床面ストッパ受け凹部１４０に挿入されるので、水圧に起因する止水板１０３Ａの湾曲を低減でき、止水板１０３Ａの湾曲に起因する水密性の低下や止水板１０３Ａの破損を防止できる。
【００８８】
続いて、図１２（Ａ）に示すように、止水板１０３Ｂを、止水板１０３Ａが取り付けられた支持体１０２Ｌ，１０２Ｒに対峙するように配置し、支持体１０２Ｌ，１０２Ｒの上側の下係止溝１２３及び上係止溝１２４に、止水板１０３Ｂの上下の係止突起部１３２，１３２を挿入する。
【００８９】
止水板１０３Ｂは、止水板１０３Ａと同様に、止水板１０３Ｂの向きに関わらず、止水板１０３Ｂにおける同一位置に係止突起部１３２が配置される。したがって、止水板１０３Ｂを取り付ける作業者は、止水板１０３Ｂの向きを確認することなく、上下の係止突起部１３２，１３２を下係止溝１２３及び上係止溝１２４に迅速に挿入できる。
【００９０】
図１２（Ｂ）に示すように、止水板１０３Ｂの自重で、又は止水板１０３Ｂを屋内側へ（止水板取付け面部１２１側へ）押し込むと、上下の係止突起部１３２，１３２は係止溝１２３，１２４の開口部位１２３ａ，１２４ａに挿入される。開口部位１２３ａ，１２４ａに挿入された上下の係止突起部１３２，１３２は、止水板１０３Ａの取付け時と同様に、傾斜部位１２３ｂ，１２４ｂに沿って斜め下向きにスライドする。
【００９１】
図１２（Ｃ）に示すように、下側の係止突起部１３２は、下係止溝１２３の傾斜部位１２３ｂに沿って湾曲部位１２３ｄに導かれる。この状態で、止水板１０３Ｂの起立面部パッキン部材１３３のうち、支持体１０２Ｌ，１０２Ｒの止水板取付け面部１２１に対向する起立面部パッキン部材１３３の下方寄り部位が弾性変形して止水板取付け面部１２１に密着当接する。
【００９２】
また、止水板１０３Ｂの下側のストッパ突起部１３７の先端部が止水板１０３Ａのストッパ受け凹部１３８の上方に配置され、止水板１０３Ｂの下側のストッパ受け凹部１３８が止水板１０３Ａのストッパ突起部１３７の上方に配置される。また、図１５（Ｄ）に示すように、止水板１０３Ａと１０３Ｂの間で上下に対向する水平面部パッキン部材１３６の止水材１３６ａの先端部同士が接触する。
【００９３】
図１３（Ａ）に示すように、止水板１０３Ｂを斜め下向きに押し込むと、止水板１０３Ａの取付け時と同様に、下側の係止突起部１３２が下係止溝１２３の突起保持部位１２３ｃに嵌り込む一方、上側の係止突起部１３２が上係止溝１２４の突起保持部位１２４ｃの下方に配置される。また、図１５（Ｅ）に示すように、止水板取付け面部１２１に対向する止水板１０３Ｂの起立面部パッキン部材１３３が弾性変形して止水板取付け面部１２１に密着当接する。
【００９４】
また、止水板１０３Ａと１０３Ｂの間で上下に対向する前後方向パッキン部材１３５同士及び水平面部パッキン部材１３６同士がそれぞれ弾性変形して互いに密着当接する。また、止水板１０３Ｂの下側のストッパ突起部１３７が止水板１０３Ａの上側のストッパ受け凹部１３８に挿入され、止水板１０３Ｂの下側のストッパ受け凹部１３８に止水板１０３Ａの上側のストッパ突起部１３７に挿入される。
【００９５】
図１３（Ｂ）に示すように、止水板１０３Ａを押し込む力を開放すると、止水板１０３Ａと１０３Ｂの間の前後方向パッキン部材１３５及び水平面部パッキン部材１３６の復元力によって、止水板１０３Ｂ全体が上向き移動し、上側の係止突起部１３２が上向きの突起保持部位１２４ｃに嵌り込んで、上側の係止突起部１３２の前後方向及び上向きの移動が規制される。下側の係止突起部１３２は、下係止溝１２３の下向きの突起保持部位１２３ｃ内に位置し、前後方向の移動が規制される。
【００９６】
図１５（Ｆ）に示すように、止水板１０３Ａ、１０３Ｂ間の上下の水平面部パッキン部材１３６の止水材１３６ａ同士は、先端部同士が当接して前後外側に広がるように弾性変形するとともに、それぞれ弾性変形した上下の押圧部材１３６ｂ，１３６ｂに挟み込まれて、互いに密着当接している。なお、止水板１０３Ａと１０３Ｂの間の上下の前後方向パッキン部材１３５同士は、それぞれ弾性変形しながら互いに密着当接している。
【００９７】
このように、止水板１０３Ｂの係止突起部１３２を支持体１０２Ｌ，１０２Ｒの下係止溝１２３及び上係止溝１２４に挿入した後に止水板１０３Ｂを斜め下方へ押し込むという簡単な操作で、止水板１０３Ｂを支持体１０２Ｌ，１０２Ｒに確実に接続できるとともに、止水板３Ｂの上向き移動が規制されて、止水板３Ｂの浮き上がりを防止できる。
【００９８】
また、止水板１０３Ａ及び１０３Ｂを支持体１０２Ｌ，１０２Ｒに取り付けた状態で、止水板１０３Ｂの下側の前後方向パッキン部材１３５及び水平面部パッキン部材１３６と、止水板１０３Ａの上側の前後方向パッキン部材１３５及び水平面部パッキン部材１３６とが、互いに密着当接するとともに押圧変形する。これにより、止水板１０３Ａと止水板１０３Ｂとの間に高い水密性を確保できる。
【００９９】
また、止水板１０３Ｂの下側のストッパ突起部１３７の先端側が止水板１０３Ａの上側のストッパ受け凹部１３８に挿入されるとともに、止水板１０３Ａの上側のストッパ突起部１３７の先端側が止水板１０３Ｂの下側のストッパ受け凹部１３８に挿入される。これにより、水圧に起因する止水板１０３Ａ、１０３Ｂの湾曲を低減でき、止水板１０３Ａ，１０３Ｂの湾曲に起因する水密性の低下や止水板１０３Ａの破損を防止できる。
【０１００】
次に、本願発明を具体化した他の実施形態を図面に基づいて説明する。また、各方向を特定するため、前後・左右の文言を使用するが、図１６及び図１７に示すように、一対の支持体が間隔を空けて配置される方向を左右方向とし、これと直交した方向を前後方向と定義している。
【０１０１】
図１６及び図１７に示すように、本実施形態の止水装置１は、例えば地下鉄駅や地下駐車場、建物などの構造物への水の侵入を防止するために、構造物の出入口Ｅに設置される。止水装置１は、間隔を空けて設置された左右の支持体２Ｌ，２Ｒと、左右の支持体２Ｌ，２Ｒに着脱可能に取り付けられて立設される止水板３Ａ，３Ｂとを備えている。
【０１０２】
止水板３Ａ，３Ｂは、支持体２Ｌ，２Ｒと当接する面３１より支持体２Ｌ，２Ｒに向けて突起させた係止突起部３２を有しており、止水板３Ａ，３Ｂが支持体２Ｌ，２Ｒに対して前後方向に移動されるとともに、係止突起部３２が支持体２Ｌ，２Ｒに設けた係止穴２２に挿入されて係止されることで、止水板３Ａ，３Ｂが支持体２Ｌ，２Ｒに接続される。これにより、止水板３Ａ，３Ｂを前後へスライドさせることで、止水板３Ａ，３Ｂを支持体の高さ以上に持ち上げなくても止水板を支持体２Ｌ，２Ｒに接続できるので、止水板３Ａ，３Ｂを迅速且つ容易に設置できる。
【０１０３】
本実施形態では、左右の支持体２Ｌ，２Ｒは、出入口Ｅの左右端位置で床面Ｆに立設されるとともに、出入口Ｅの左右の側壁Ｗ及び床面Ｆとの間の水密性を接着剤又は弾性体などで確保しながら、床面Ｆ及び側壁Ｗに固着されている。また、止水板は、上下に分割された上下２枚の止水板３Ａ，３Ｂで構成されている。
【０１０４】
図１６〜図２５を参照しながら、止水装置１の概略構成について説明する。図１８及び図１９に示された止水板３Ａに関し、底面図は平面図と同一であり、背面図は正面図と同一であり、左側面図は右側面図と同一である。また、図２０に示された止水板３Ｂに関し、底面図は平面図と同一であり、背面図は正面図と同一であり、左側面図は右側面図と同一である。
【０１０５】
図１８〜図２０に示すように、止水板３Ａ，３Ｂは、矩形板状の形態を有し、前後の起立面部３１，３１における左右の幅方向端部位３１ａ，３１ａのそれぞれに、係止突起部３２と起立面部パッキン部材３３とを備えている。係止突起部３２は、前後に延びる軸部３２ｂの先端に幅広の頭部３２ａを有している。起立面部パッキン部材３３は、上下方向に延びる弾性体で形成されている。なお、止水板３Ａ，３Ｂの内部は、中空部分を有する構造であってもよい。
【０１０６】
図１６、図１７及び図２３〜図２５に示すように、左右の支持体２Ｌ，２Ｒは、止水板３Ａ，３Ｂの起立面部３１の幅方向端部位３１ａが対向配置される止水板取付け面部２１の上下２箇所に、係止突起部３２を係止するための係止穴２２を備えている。係止穴２２は、上下縦長で下方側が幅狭の鍵穴状であり、係止突起部３２の頭部３２ａを挿通可能な頭部挿通穴２２ａと、頭部挿通穴２２ａから下方に向けて延びる軸部挿通溝２２ｂを有している。
【０１０７】
止水板３Ａ，３Ｂが支持体２Ｌ，２Ｒに取り付けられる際には、係止突起部３２の頭部３２ａを係止穴２２の頭部挿通穴２２ａに挿入した後、止水板３Ａ，３Ｂを下方へスライドさせて、係止突起部３２の軸部３２ｂを係止穴２２の軸部挿通溝２２ｂに位置させる。これにより、止水板３Ａ，３Ｂは、支持体２Ｌ，２Ｒに、前後に引き抜き不能に接続される。また、起立面部３１の幅方向端部位３１ａに設けられた起立面部パッキン部材３３が止水板取付け面部２１に密接することで、止水板３Ａ，３Ｂと支持体２Ｌ，２Ｒとの間の水密性が確保される。
【０１０８】
このように、止水装置１によれば、止水板３Ａ，３Ｂを支持体２Ｒ，２Ｌの高さ以上に持ち上げなくても支持体２Ｒ，２Ｌに接続できるので、止水板３Ａ，３Ｂを迅速且つ容易に設置できる。また、止水板３Ａ，３Ｂを支持体２Ｒ，２Ｌの高さ以上に持ち上る必要がないので、年配者や女性などの非力な作業者であっても、止水板３Ａ，３Ｂを支持体２Ｒ，２Ｌに迅速且つ容易に設置できる。
【０１０９】
図１８〜図２２を参照しながら、止水板３Ａ，３Ｂの詳細な構成について説明する。止水板３Ａ，３Ｂは、例えば炭素繊維強化プラスチック製又は金属製であり、矩形板状の形態を有する。止水板３Ａと止水板３Ｂは、後述するストッパ突起部３７及びストッパ受け凹部３８の位置及び個数が互いに異なることを除いて、同じ形態を有している。そこで、止水板３Ａの構成について説明した後、止水板３Ｂについて止水板３Ａとは異なる構成部分を説明する。
【０１１０】
図１８及び図１９に示すように、止水板３Ａの前後の起立面部３１，３１のそれぞれに、左右一対の係止突起部３２と、左右一対の起立面部パッキン部材３３とが設けられている。上述のように、係止突起部３２及び起立面部パッキン部材３３は、起立面部３１の左右の幅方向端部位３１ａ，３１ａのそれぞれに設けられている。すなわち、止水板３Ａには、４つの係止突起部３２と、４本の起立面部パッキン部材３３が設けられている。
【０１１１】
係止突起部３２が、止水板３Ａにおける前後の起立面部３１のうち少なくとも一方の起立面部３１に複数設けられており、同一の起立面部３１に設けられた係止突起部３２は、起立面部３１の中心に対して点対称となる位置に配置される。これにより、止水板３Ａを上下反転させたとしても、係止突起部３２を係止穴２２に係止できるため、緊急時において止水板３Ａの上下を確認せずとも容易に且つ迅速に支持体に接続できる。
【０１１２】
すなわち、同一高さ位置に配置された係止突起部３２は、同一の起立面部３１上において左右対称となる位置に配置されている。また、本実施形態においては、左右の幅方向端部位３１ａ，３１ａのそれぞれにおいて、高さ方向で中心となる位置に一つの係止突起部３２が突設されるものとしているが、複数の係止突起部３２が上下対称となる位置に突設しても構わない。
【０１１３】
係止突起部３２は、起立面部３１に取り付けられる取付板部３２ｃと、取付板部３２ｃに突設された軸部３２ｂと、軸部３２ｂの先端に設けられた頭部３２ａと、軸部３２ｂに沿って設けられた上下一対の補強リブ３２ｄ，３２ｄを備えている。取付板部３２ｃは略矩形板状である。軸部３２ｂは、取付板部３２ｃの中央部から前後一方向に向けて突設されている。
【０１１４】
頭部３２ａは、左右端面が略楕円形の略楕円柱形状を有し、頭部３２ａの左右方向幅は、軸部３２ｂの左右方向幅よりも大きい。すなわち、頭部３２ａは、軸部３２ｂよりも左右方向に幅広に形成されている。補強リブ３２ｄは、側面視で取付板部３２ｃ側が広い略直角三角形板状の形態を有し、取付板部３２ｃから軸部３２ｂに沿って延びて、補強リブ３２ｄの先端部は頭部３２ａに到達している。
【０１１５】
４つの係止突起部３２は、止水板３Ａにおける４つの幅方向端部位３１ａに、起立面部３１の左右方向中心線Ｃからの距離が同じで、且つ起立面部３１の上下方向中央位置に位置するように、それぞれ配置されている。これにより、止水板３Ａを左右反転しても又は上下反転しても、４つの係止突起部３２の頭部３２ａが止水板３Ａにおいて同一位置に位置するように構成されている。
【０１１６】
なお、前後の起立面部３１，３１のそれぞれには、幅方向中央部に、４つの左右横長の取っ手凹部３１ｂが設けられている。これらの取っ手凹部３１ｂは、中心位置が起立面部３１と同一位置の仮想長方形の４つの角部に配置されている。すなわち、止水板３Ａを左右反転しても又は上下反転しても、４つの取っ手凹部３１ｂが止水板３Ａにおいて同一位置に位置するように構成されている。これにより、作業者が止水板３Ａを持ち運ぶ際に、止水板３Ａの向きにかかわらず、持ち上げたときの感覚を同じにできる。
【０１１７】
図１８及び図１９に示すように、幅方向端部位３１ａにおいて、起立面部パッキン部材３３は、起立面部３１の上下方向の一端から他端にわたって連続して、係止突起部３２よりも左右外側位置に配置されている。これにより、止水板３Ａが支持体２Ｒ，２Ｌに取り付けられたときに、起立面部パッキン部材３３は、支持体２Ｒ，２Ｌの係止穴２２よりも左右外側位置で止水板取付け面部２１に密接するので、係止穴２２を介して支持体２Ｒ，２Ｌ内部に水が侵入するのを防止できる。
【０１１８】
また、起立面部パッキン部材３３は、上下に延びる水膨張性止水材３３ａと、水膨張性止水材３３ａを左右で挟んで上下に延びる左右の耐水性止水材３３ｂ，３３ｂとで構成されている。水膨張性止水材３３ａは、例えば水膨張ゴム製である。耐水性止水材３３ｂは、例えば断面Ｄ字形の中空のゴム製である。起立面部パッキン部材３３が水膨張性止水材３３ａを含む左右３重構造に形成されているので、起立面部３１と止水板取付け面部２１との間の水密性を高めることができる。
【０１１９】
なお、平面視で前後に並ぶ２本の起立面部パッキン部材３３，３３の端部は、止水板３Ａの上下の水平面部３４，３４のそれぞれに設けられる前後方向パッキン部材３５に連続している。すなわち、前後２本の起立面部パッキン部材３３と上下２本の前後方向パッキン部材３５は、連続して環状に設けられている。なお、前後方向パッキン部材３５は、水膨張性止水材３５ａと左右の耐水性止水材３５ｂ，３５ｂとで構成されており、起立面部パッキン部材３３と同様に、左右３重構造に形成されている。
【０１２０】
図１８及び図１９に示すように、上下の水平面部３４，３４のそれぞれに、ストッパ突起部３７とストッパ受け凹部３８とが配置されるストッパ配置領域３９が設けられている。本実施形態では、ストッパ配置領域３９は、水平面部３４の左右方向中央部に設けられている。
【０１２１】
上下２つのストッパ配置領域３９のそれぞれに、水平面部３４から上下方向に向けて突出するストッパ突起部３７が設けられている。すなわち、止水板３Ａには、２つのストッパ突起部３７が設けられている。各ストッパ突起部３７は、水平面部３４の中央位置（左右方向中央位置かつ前後方向中央位置）に配置されている。これにより、止水板３Ａを左右反転しても又は上下反転しても、上下２つのストッパ突起部３７が止水板３Ａにおいて同一位置に位置するように構成されている。
【０１２２】
また、各ストッパ配置領域３９には、ストッパ突起部３７を左右で挟んで、左右のストッパ受け凹部３８，３８が形成されている。すなわち、止水板３Ａには、４つのストッパ受け凹部３８が設けられている。ストッパ受け凹部３８は、後述する止水板３Ｂのストッパ突起部３７を収容可能なものであり、ストッパ受け凹部３８の内径は、ストッパ突起部３７の外径よりも少し大きく形成されている。
【０１２３】
各ストッパ配置領域３９において、左右のストッパ受け凹部３８，３８は、水平面部３４の中央位置に対して左右対称位置に配置されている。また、止水板３Ａにおいて、４つのストッパ受け凹部３８は、水平面部３４の中央位置から同一距離だけ離れた位置に設けられている。これにより、止水板３Ａを左右反転しても又は上下反転しても、４つのストッパ受け凹部３８が止水板３Ａにおいて同一位置に位置するように構成されている。
【０１２４】
図１８及び図１９に示すように、止水板３Ａの上下の水平面部３４，３４のそれぞれに、左右方向に延びる弾性体からなる２本の水平面部パッキン部材１３６と、上述の前後方向パッキン部材３５が設けられている。前後方向パッキン部材３５は、水平面部３４の左右の幅方向端部位にそれぞれ設けられている。２本の水平面部１３４の前後方向中央部を前後で挟んで互いに平行に配置されている。水平面部パッキン部材１３６の左右両端部は、左右の前後方向パッキン部材３５に隙間なく接続されている。
【０１２５】
水平面部パッキン部材１３６は、図１〜図１５を参照して説明した止水装置１０１の止水板１０３Ａ，１０３Ｂの水平面部パッキン部材１３６と同じ構成を有する。すなわち、各水平面部パッキン部材１３６は、互いに平行に左右方向に延びる２本の止水材１３６ａ，１３６ａと１本の押圧部材１３６ｂとで構成されている。
【０１２６】
水平面部パッキン部材１３６は、止水板３Ａ又は３Ｂが床面Ｆ上に設置されるときに、まず、止水材１３６ａの先端部が床面Ｆに接触し、止水板３Ａ又は３Ｂが下方へ移動するに従って、止水材１３６ａは、その先端部が床面Ｆに沿って前後外側へ変位するように弾性変形し、床面Ｆ上のゴミや小石などの異物を止水板３Ａ又は３Ｂの下方から排除する。これにより、止水材１３６ａと床面Ｆとの間に異物が挟み込まれるのを防止でき、止水材１３６ａと床面Ｆとの間に高い水密性を確保できる。
【０１２７】
次に、図２０を参照しながら止水板３Ｂについて説明する。上述のように、止水板３Ａと止水板３Ｂは、ストッパ突起部３７及びストッパ受け凹部３８の位置及び個数が互いに異なることを除いて、同じ形態を有している。すなわち、止水板３Ｂは、前後の起立面部３１，３１のそれぞれに、４つの係止突起部３２と、左右２本の起立面部パッキン部材３３とを備えている。また、止水板３Ｂは、上下の水平面部３４，３４のそれぞれに、左右２本の前後方向パッキン部材３５と、左右方向に延びる前後２本の水平面部パッキン部材１３６と、水平面部３４の左右方向中央部に設けられたストッパ配置領域３９とを備えている。
【０１２８】
止水板３Ｂにおいて、上下のストッパ配置領域３９のそれぞれに、ストッパ受け凹部３８が形成されている。すなわち、止水板３Ｂには、上下２つのストッパ受け凹部３８が設けられている。ストッパ受け凹部３８は、止水板３Ａのストッパ突起部３７を収容可能なものである。各ストッパ受け凹部３８は、水平面部３４の中央位置に配置されている。これにより、止水板３Ｂを左右反転しても又は上下反転しても、２つのストッパ受け凹部３８が止水板３Ａにおいて同一位置に位置するように構成されている。
【０１２９】
また、止水板３Ｂの上下のストッパ配置領域３９のそれぞれに、ストッパ受け凹部３８を左右で挟んで、水平面部３４から上下方向に向けて突出する左右のストッパ突起部３７，３７が設けられている。すなわち、止水板３Ｂには、４つのストッパ突起部３７が設けられている。
【０１３０】
各ストッパ配置領域３９において、左右のストッパ突起部３７，３７は、水平面部３４の中央位置に対して左右対称位置に配置されている。また、止水板３Ｂにおいて、４つのストッパ突起部３７は、水平面部３４の中央位置から同一距離だけ離れた位置に設けられている。これにより、止水板３Ｂを左右反転しても又は上下反転しても、４つのストッパ突起部３７が止水板３Ｂにおいて同一位置に位置するように構成されている。
【０１３１】
図１６に示すように、止水板３Ａ又は３Ｂが配置される床面Ｆに、複数の床面ストッパ受け凹部４０が設けられている。本実施形態では、３つの床面ストッパ受け凹部４０が床面Ｆに設けられている。床面ストッパ受け凹部４０は、止水板３Ａのストッパ突起部３７に対応する位置と、止水板３Ｂのストッパ突起部３７に対応する位置とに設けられている。すなわち、床面ストッパ受け凹部４０は、いずれの止水板３Ａ又は３Ｂが床面Ｆの上に配置されてもストッパ突起部３７を収容できる位置に設けられている。
【０１３２】
本実施形態の止水装置１では、止水板３Ａ，３Ｂは、前後の起立面部３１，３１のそれぞれに、４つの係止突起部３２及び起立面部パッキン部材３３を備えるとともに、上下の水平面部３４，３４のそれぞれに、左右方向に延びる弾性体からなる前後２本の水平面部パッキン部材１３６を備えている。４つの係止突起部３２は、止水板３Ａ，３Ｂにおける４つの幅方向端部位３１ａに、起立面部３１の左右方向中心線Ｃからの距離が同じで、且つ起立面部３１の上下方向中央位置に位置するように、それぞれ配置されている。
【０１３３】
本実施形態の止水装置１によれば、止水板３Ａ，３Ｂを上下反転させても、左右反転させても、所定の位置に４つの係止突起部３２が位置する。したがって、止水板３Ａ，３Ｂを支持体２Ｌ，２Ｒに取り付ける際に、止水板３Ａ，３Ｂの向きを確認する作業が不要になるとともに、止水板３Ａ，３Ｂの取付け向きの間違いが無くなり、止水板３Ａ，３Ｂを支持体２Ｌ，２Ｒに迅速且つ正確に取り付けることができる。
【０１３４】
また、本実施形態の止水装置１は、複数の止水板３Ａ，３Ｂが上下に並べられて支持体２Ｌ，２Ｒに取り付けられる構成である。そして、止水板３Ａ又は３Ｂは、上下の水平面部３４，３４のそれぞれに、上下方向に向けて突出するストッパ突起部３７と、他の止水板３Ｂ又は３Ａのストッパ突起部３７を収容可能なストッパ受け凹部３８とを備えている。それぞれの止水板３Ａ，３Ｂで、ストッパ突起部３７の左右方向位置が異なっているとともに、ストッパ受け凹部３８が、他の止水板３Ｂ又は３Ａのストッパ突起部３７の左右方向位置に対応して左右方向中央位置又は左右対称位置に設けられている。さらに、止水板３Ａ又は３Ｂが配置される床面Ｆに、複数の床面ストッパ受け凹部４０が、いずれの止水板３Ａ又は３Ｂが床面Ｆの上に配置されてもストッパ突起部３７を収容できる位置に設けられている。
【０１３５】
したがって、本実施形態の止水装置１によれば、複数の止水板３Ａ，３Ｂを上下に並べて配置することで、止水板３Ａ，３Ｂの合計高さを高くできる構成でありながら、１枚あたりの止水板３Ａ，３Ｂの重量を小さくでき、止水板３Ａ，３Ｂの移動作業が容易になる。
【０１３６】
また、上下の止水板３Ａ，３Ｂ同士の間、及び止水板３Ａ又は３Ｂと床面Ｆとの間を、ストッパ突起部３７及びストッパ受け凹部３８で連結するので、水圧に起因する止水板３Ａ，３Ｂの湾曲を低減でき、止水板３Ａ，３Ｂの湾曲に起因する水密性の低下や止水板３Ａ，３Ｂの破損を防止できる。
【０１３７】
また、本実施形態の止水装置１では、各止水板３Ａ，３Ｂでストッパ突起部３７の左右方向位置が互いに異なっているとともに、各止水板３Ａ，３Ｂは、他の止水板３Ｂ又は３Ａのストッパ突起部３７の左右方向位置に対応して左右方向中央位置又は左右対称位置にストッパ受け凹部３８を備えていることから、各止水板３Ａ，３Ｂを上下反転させても、左右反転させても、止水板３Ａ，３Ｂ同士を上下に連結可能である。
【０１３８】
また、止水板３Ａ又は３Ｂが配置される床面Ｆには、いずれの止水板３Ａ又は３Ｂが床面Ｆの上に配置されてもストッパ突起部３７を収容できる位置に複数の床面ストッパ受け凹部４０が設けられているので、いずれの止水板３Ａ又は３Ｂを床面Ｆの上に配置しても、ストッパ突起部３７が床面ストッパ受け凹部４０に収容される。これにより、各止水板３Ａ，３Ｂの向きや、止水板３Ａ，３Ｂを上下に並べる順番を気にすることなく、複数の止水板３Ａ，３Ｂを支持体２Ｌ，２Ｒに取り付けることができる。
【０１３９】
すなわち、図１６及び図２１に示すように、止水板３Ａを床面Ｆの上に配置し、止水板３Ｂを止水板３Ａの上に配置することもできるし、図２２に示すように、止水板３Ｂを床面Ｆの上に配置し、止水板３Ａを止水板３Ｂの上に配置することもできる。
【０１４０】
したがって、本実施形態の止水装置１は、支持体２Ｌ，２Ｒに複数の止水板３Ａ，３Ｂを取り付ける構成でありながら、複数の止水板３Ａ，３Ｂを支持体２Ｌ，２Ｒに取り付ける際に、各止水板３Ａ，３Ｂの向きを確認する作業が不要になるとともに、各止水板３Ａ，３Ｂの取付け向きの間違いが無くなり、止水板３Ａ，３Ｂを支持体２Ｌ，２Ｒに素早く且つ正確に取り付けることができる。
【０１４１】
次に、支持体２Ｌ，２Ｒの構成について説明する。図１６及び図１７に示すように、支持体２Ｌ，２Ｒは、中空構造の四角柱状の形態を有し、左右対称の構成を有する。そこで、出入口Ｅの手前側（前側）から見て左側の支持体２Ｌについて説明し、右側の支持体２Ｒの詳細な説明は省略する。
【０１４２】
図２３〜図２５に示すように、支持体２Ｌは、平面視略長方形であり、出入口Ｅの手前側から見て正面に位置する止水板取付け面部２１と、止水板取付け面部２１の左右端部に連結された左右外側面部２３及び左右内側面部２４と、止水板取付け面部２１に対向配置されるカバー部２５とを備えている。支持体２Ｌの下端側は板状の底面部２６により塞がれている。支持体２Ｌの上端側は板状の天面部２７により塞がれている。
【０１４３】
支持体２Ｌの左右外側面部２３は、複数の側面固定ネジ２８にて、出入口Ｅの左側の側壁Ｗに固定される。また、底面部２６は、複数の底面固定ネジ２９にて、出入口Ｅの左端部に位置する床面Ｆに固定される。左右外側面部２３と側壁Ｗの間、及び底面部２６の間は、接着剤又は弾性体などの止水材によって、水密性が確保されている。
【０１４４】
止水板取付け面部２１の上下２箇所に、止水板３Ａ，３Ｂの係止突起部３２が嵌め込まれる係止穴２２が設けられている。一方の係止穴２２には止水板３Ａ又は３Ｂの係止突起部３２が嵌め込まれ、他方の係止穴２２には止水板３Ｂ又は３Ａの係止突起部３２が嵌め込まれる。
【０１４５】
係止穴２２は、止水板３Ａ，３Ｂの係止突起部３２の頭部３２ａを挿通可能な頭部挿通穴２２ａと、頭部挿通穴２２ａから下方に向けて延びる軸部挿通溝２２ｂとを有し、上下縦長の略鍵穴状の形状を有している。上下に延びる軸部挿通溝２２ｂの幅寸法は、係止突起部３２の頭部３２ａの左右幅寸法よりも小さく、かつ、係止突起部３２の軸部３２ｂ及び補強リブ３２ｄの幅寸法よりも大きい。頭部挿通穴２２ａの下辺２２ｃは、軸部挿通溝２２ｂを挟んで左右に分割されており、各下辺２２ｃは、軸部挿通溝２２ｂ側ほど下方に位置するように傾斜している。
【０１４６】
支持体２Ｌの内部に、係止穴２２の頭部挿通穴２２ａの下方に配置されて係止突起部３２の頭部３２ａを保持する頭部保持部３０が設けられている。本実施形態では、１つの係止穴２２に対して左右一対の頭部保持部３０が設けられている。頭部保持部３０は、止水板取付け面部２１の内部側面に、係止穴２２の軸部挿通溝２２ｂを挟んで取り付けられている。
【０１４７】
頭部保持部３０は、略楔形の形態を有し、下方側ほど止水板取付け面部２１から離れるように傾斜する頭部スライド面３０ａと、頭部スライド面の下方に設けられて係止突起部３２の頭部３２ａが嵌り込む左右横長溝状の頭部保持凹部３０ｂとを備えている。
【０１４８】
また、支持体２Ｌの内部に、頭部保持凹部３０ｂに保持された係止突起部３２の頭部３２ａを、操作ハンドル４２を回動させることで跳ね上げ可能な解除装置４１が設けられている。本実施形態では、左右内側面部２４の内部壁面に、上下２つの解除装置４１が上下に並んで取り付けられている。
【０１４９】
解除装置４１は、作業者が把持する把持部４２ａを一端に有し、他端に作用部４２ｂを有する操作ハンドル４２を備える。操作ハンドル４２の中途部は、左右内側面部２４に取り付けられるベース部材４３に、回動自在に軸支される。すなわち、作業者が把持部４２ａを手前側に引いて下向き回動させると、作用部４２ｂが上向き回動するように構成されている。また、ベース部材４３の下方に、操作ハンドル４２の作用部４２ｂと係合して操作ハンドル４２を位置固定可能なハンドル固定部材４４が設けられている。
【０１５０】
支持体２Ｌにおいて、カバー部２５は、ヒンジ部材４５によって開閉可能に設けられている。カバー部２５は、閉じた状態で、図示しないシリンダー錠又はマグネット等の固定具によって回動不能に固定されている。
【０１５１】
次に、図２６〜図３０を参照しながら、支持体２Ｌ，２Ｒへの止水板３Ａ，３Ｂの取付け操作について説明する。なお、図２６〜図３０では、支持体２Ｌ，２Ｒのうち支持体２Ｌのみを図示しているが、上述のように支持体２Ｌ，２Ｒは左右対称に設けられるので、支持体２Ｒについても同様の取付け操作が行われる。
【０１５２】
図２７に示すように、支持体２Ｌ，２Ｒに対峙するように止水板３Ａを配置し、止水板３Ａを少し持ち上げて、支持体２Ｌ，２Ｒの下側の係止穴２２の頭部挿通穴２２ａに、止水板３Ａの係止突起部３２の頭部３２ａを挿入する（図２６（Ａ），（Ｂ）も参照）。
【０１５３】
上述のように、止水板３Ａの係止突起部３２は、止水板３Ａの上下向き、左右向き、前後向きに関わらず、起立面部３１における同一位置に配置される。したがって、止水板３Ａを取り付ける作業者は、止水板３Ａの向きを確認することなく、迅速に係止突起部３２の頭部３２ａを係止穴２２の頭部挿通穴２２ａに挿入できる。
【０１５４】
作業者が止水板３Ａを持ち上げる力を抜くと、止水板３Ａの重さで、止水板３Ａが下方へ変位し、係止突起部３２の軸部３２ｂ及び補強リブ３２ｄが係止穴２２の軸部挿通溝２２ｂに嵌り込むとともに、頭部３２ａが頭部保持部３０の頭部スライド面３０ａに当接する。ここで、頭部３２ａを頭部挿通穴２２ａに挿通したときに軸部３２ｂ及び補強リブ３２ｄが軸部挿通溝２２ｂに対して左右方向に位置ズレしていても、軸部３２ｂ及び補強リブ３２ｄは、軸部挿通溝２２ｂ側へ下向きに傾斜する下辺２２ｃに沿って軸部挿通溝２２ｂに案内される。これにより、軸部３２ｂ及び補強リブ３２ｄを軸部挿通溝２２ｂに容易かつ確実に嵌め込むことができる。また、止水板３Ａの下側のストッパ突起部３７の先端部が床面Ｆの床面ストッパ受け凹部４０に挿入される。
【０１５５】
止水板３Ａを下方へスライドさせるように押し込むと、係止突起部３２の頭部３２ａは、頭部保持部３０の頭部スライド面３０ａに沿って、支持体２Ｌ，２Ｒの止水板取付け面部２１から離れるように斜め下向きに移動する。このとき、止水板３Ａの起立面部３１は、止水板取付け面部２１に近づくように変位し、起立面部パッキン部材３３が止水板取付け面部２１に密着当接するとともに押圧変形する。
【０１５６】
図２８に示すように、止水板３Ａをさらに下方へスライドさせると、係止突起部３２の頭部３２ａが頭部保持部３０の頭部保持凹部３０ｂに到達して、頭部３２ａの軸部３２ｂ寄り部位が頭部保持凹部３０ｂに嵌り込む（図２６（Ｃ）も参照）。頭部３２ａは、弾性体からなる起立面部パッキン部材３３の復元力によって頭部保持凹部３０ｂに付勢されて、頭部保持凹部３０ｂ内に保持される。
【０１５７】
このように、止水板３Ａの係止突起部３２の頭部３２ａを支持体２Ｌ，２Ｒの係止穴２２の頭部挿通穴２２ａに挿入した後に止水板３Ａを下方へスライドさせるという簡単な操作で、止水板３Ａを支持体２Ｌ，２Ｒに確実に接続できるとともに、止水板３Ａの上向き移動が規制されて、止水板３Ａの浮き上がりを防止できる。
【０１５８】
また、係止突起部３２の頭部３２ａが頭部保持凹部３０ｂに嵌り込んだ状態で、止水板３Ａの下側の前後方向パッキン部材３５（図１８等参照）及び水平面部パッキン部材１３６が床面Ｆに密着当接するとともに押圧変形する。水平面部パッキン部材１３６は、図１５（Ａ）〜（Ｃ）を参照して説明した動作と同様に、止水材１３６ａの先端部が床面Ｆに沿って前後外側へ変位することで、ゴミや小石などの異物Ｓを、止水板３Ａの下方から排除する。これにより、止水材１３６ａと床面Ｆとの間に異物が挟み込まれるのを防止でき、止水板３Ａと床面Ｆとの間に高い水密性を確保できる。また、止水板３Ａの下側のストッパ突起部３７の先端側が床面Ｆの床面ストッパ受け凹部４０に挿入されるので、水圧に起因する止水板３Ａの湾曲を低減でき、止水板３Ａの湾曲に起因する水密性の低下や止水板３Ａの破損を防止できる。
【０１５９】
続いて、図２９に示すように、止水板３Ｂを、止水板３Ａが取り付けられた支持体２Ｌ，２Ｒに対峙するように配置し、止水板３Ｂを止水板３Ａの上方まで持ち上げて、支持体２Ｌ，２Ｒの上側の係止穴２２の頭部挿通穴２２ａに、止水板３Ｂの係止突起部３２の頭部３２ａを挿入する。
【０１６０】
止水板３Ｂは、止水板３Ａと同様に、止水板３Ｂの向きに関わらず、起立面部３１における同一位置に係止突起部３２が配置される。したがって、止水板３Ｂを取り付ける作業者は、止水板３Ｂの向きを確認することなく、係止突起部３２の頭部３２ａを係止穴２２の頭部挿通穴２２ａに迅速に挿入できる。
【０１６１】
作業者が止水板３Ｂを持ち上げる力を抜くと、止水板３Ａの取付け時と同様に、止水板３Ｂが下方へ変位して、係止突起部３２の頭部３２ａが頭部保持部３０の頭部スライド面３０ａに当接する。また、止水板３Ｂの下側のストッパ突起部３７の先端部が止水板３Ａの上側のストッパ受け凹部３８に挿入される一方、止水板３Ａの上側のストッパ突起部３７の先端部が止水板３Ｂの下側のストッパ受け凹部３８に挿入される。
【０１６２】
そして、止水板３Ｂを下方へスライドさせるように押し込むと、止水板３Ａの取付け時と同様に、係止突起部３２の頭部３２ａが頭部保持部３０の頭部スライド面３０ａに沿って斜め下向きに移動とともに、止水板３Ｂの起立面部３１が止水板取付け面部２１に近づくように変位し、止水板３Ｂの起立面部パッキン部材３３が止水板取付け面部２１に密着当接するとともに押圧変形する。
【０１６３】
図３０に示すように、止水板３Ｂをさらに下方へスライドさせると、止水板３Ａの取付け時と同様に、係止突起部３２の頭部３２ａが頭部保持凹部３０ｂに到達し、起立面部パッキン部材３３の復元力によって頭部３２ａが頭部保持凹部３０ｂに嵌り込む。このように、止水板３Ｂの係止突起部３２の頭部３２ａを支持体２Ｌ，２Ｒの上側の係止穴２２の頭部挿通穴２２ａに挿入した後に止水板３Ｂを下方へスライドさせるという簡単な操作で、止水板３Ｂを支持体２Ｌ，２Ｒに確実に接続できるとともに、止水板３Ｂの上向き移動が規制されて、止水板３Ｂの浮き上がりを防止できる。
【０１６４】
また、止水板３Ｂの係止突起部３２の頭部３２ａが頭部保持凹部３０ｂに嵌り込んだ状態で、止水板３Ｂの下側の前後方向パッキン部材３５及び水平面部パッキン部材１３６と、止水板３Ａの上側の前後方向パッキン部材３５及び水平面部パッキン部材１３６とが、図１５（Ｄ）に示した状態と同様にして、互いに密着当接するとともに押圧変形する。これにより、止水板３Ａと止水板３Ｂとの間に高い水密性を確保できる。
【０１６５】
また、止水板３Ｂの下側のストッパ突起部３７の先端側が止水板３Ａの上側のストッパ受け凹部３８に挿入されるとともに、止水板３Ａの上側のストッパ突起部３７の先端側が止水板３Ｂの下側のストッパ受け凹部３８に挿入される。これにより、水圧に起因する止水板３Ａ、３Ｂの湾曲を低減でき、止水板３Ａ，３Ｂの湾曲に起因する水密性の低下や止水板３Ａの破損を防止できる。
【０１６６】
次に、図３１を参照しながら、支持体２Ｌ，２Ｒに取り付けられた止水板３Ａ，３Ｂの取外し操作について説明する。なお、図３１では支持体２Ｌ，２Ｒのうち支持体２Ｌを図示しているが、上述のように支持体２Ｌ，２Ｒは左右対称に設けられるので、支持体２Ｒについても同様の取り外し操作が行われる。
【０１６７】
まず、支持体２Ｌのカバー部２５を開いて、解除装置４１を操作可能な状態にする。上下２つの解除装置４１のうち上側の解除装置４１の操作ハンドル４２の把持部４２ａを握り、把持部４２ａを手前側（止水板取付け面部２１とは反対側）に引いて下向き回動させる。把持部４２ａの下向き回動にともなって、操作ハンドル４２の作用部４２ｂが上向き回動してハンドル固定部材４４から外れる。
【０１６８】
把持部４２ａをさらに下向き回動させると、作用部４２ｂは、さらに上向き回動して、止水板３Ｂの係止突起部３２の頭部３２ａに下方から当接し、頭部３２ａを押し上げる。頭部３２ａは頭部保持部３０の頭部保持凹部３０ｂから外れて、頭部スライド面３０ａの下端部位へ移動し、係止突起部３２の頭部３２ａと頭部保持部３０の頭部保持凹部３０ｂとの係合が解除される（図３１（Ａ）参照）。
【０１６９】
頭部３２ａと頭部保持凹部３０ｂとの係合が解除された状態で、係止突起部３２の頭部３２ａは、起立面部３１と止水板取付け面部２１との間の起立面部パッキン部材３３の復元力によって、頭部スライド面３０ａに押し付けられる。これにより、操作ハンドル４２の作用部４２ｂが係止突起部３２の頭部３２ａから離れても、頭部３２ａが頭部保持部３０の頭部保持凹部３０ｂに再び嵌り込まないように構成されている。
【０１７０】
また、頭部３２ａと頭部保持凹部３０ｂとの係合が解除されたときに、係止突起部３２の頭部３２ａが頭部保持部３０の頭部スライド面３０ａに接触するようにされていることで、頭部３２ａが係止穴２２から抜けないように構成されている。これにより、作業者が操作ハンドル４２を操作したときに、止水板３Ｂが支持体２Ｌ，２Ｒから不意に外れるのを防止でき、止水板３Ｂの落下や転倒に起因する事故を防止して止水板取外し作業の安全性を向上できるとともに、止水板３Ｂの損傷を防止できる。
【０１７１】
作業者は、左右の支持体２Ｌ，２Ｒについて、上側の解除装置４１の操作ハンドル４２を操作して、止水板３Ｂの係止突起部３２頭部３２ａと頭部保持部３０の頭部保持凹部３０ｂとの係合を解除する。この状態で、作業者が係止突起部３２を係止穴２２から引き抜くように止水板３Ｂを斜め上方へ向けて持ち上げることで、止水板３Ｂが支持体２Ｌ，２Ｒから取り外される。
【０１７２】
止水板３Ｂを取り外した後、左右の支持体２Ｌ，２Ｒについて、下側の解除装置４１の操作ハンドル４２を上側の解除装置４１の解除操作と同様に操作して、止水板３Ａの係止突起部３２頭部３２ａと頭部保持部３０の頭部保持凹部３０ｂとの係合を解除する（図３１（Ｂ）参照）。そして、作業者が係止突起部３２を係止穴２２から引き抜くように止水板３Ｂを斜め上方へ向けて持ち上げることで、止水板３Ｂが支持体２Ｌ，２Ｒから取り外される。
【０１７３】
このときも、止水板３Ｂの係合解除操作時と同様に、止水板３Ａの係止突起部３２の頭部３２ａが頭部スライド面３０ａに接触するように構成されているので、頭部３２ａが頭部保持凹部３０ｂに再び嵌り込むのを防止できるとともに、止水板３Ａの不意な転倒に起因する事故等を防止できる。
【０１７４】
このように、作業者は、一人で止水板３Ａ，３Ｂを支持体２Ｌ，２Ｒから安全かつ容易に取り外すことができる。なお、係止突起部３２の頭部３２ａと頭部保持部３０の頭部保持凹部３０ｂとの係合が解除された後、解除装置４１の操作ハンドル４２が垂直位置に戻されて、作用部４２ｂがハンドル固定部材４４に係止される。そして、上下の解除装置４１の操作ハンドル４２が垂直位置に戻された後、カバー部２５が閉じられる。
【０１７５】
次に、図３２〜図３４を参照しながら、止水装置１の他の実施形態について説明する。この実施形態では、止水板３Ａ，３Ｂの係止突起部３２の頭部３２ａの形状と、支持体２Ｌ，２Ｒの頭部保持部３０の頭部保持凹部３０ｂの形状とが、図１６〜図３１を参照して説明した上記実施形態とは異なっている。この実施形態のその他の構成は、上記実施形態と同じであるので、詳細な説明は省略する。
【０１７６】
図３２に示すように、止水板３Ａにおいて、各係止突起部３２の頭部３２ａは球状の形態を有する。球状の頭部３２ａの直径は、軸部３２ｂの左右幅寸法よりも大きい。なお、図３２は、止水板３Ａ，３Ｂのうち止水板３Ａのみを図示しているが、止水板３Ｂにおいても、各係止突起部３２の頭部３２ａは球状の形態を有する。
【０１７７】
図３３は、支持体２Ｌを背面側（カバー部２５側）から見た左右方向の縦断面図を示している。上下２つの係止穴２２ごとに設けられる、左右一対の頭部保持部３０は、それぞれ頭部スライド面３０ａ及び頭部保持凹部３０ｂを備えている。左右一対の頭部保持部３０において、各頭部保持凹部３０ｂは、頭部保持部３０のうち頭部スライド面３０ａの下方で互いに対向する角部に設けられている。頭部保持凹部３０ｂは、当該角部を切り欠いて形成されており、凹球面を略半割した形状を有する。左右の頭部保持凹部３０ｂは左右対称に形成されている。
【０１７８】
図３４に示すように、この実施形態の止水板３Ａ，３Ｂは、上記実施形態と同様にして、支持体２Ｌ，２Ｒに着脱される。止水板３Ａ，３Ｂが支持体２Ｌ，２Ｒに取り付けられた状態では、係止突起部３２の球状の頭部３２ａの軸部３２ｂ寄り部位が、左右の頭部保持部３０の頭部保持凹部３０ｂに嵌り込んで固定される。
【０１７９】
また、支持体２Ｌ，２Ｒから止水板３Ａ，３Ｂを取り外す際には、図３４に示すように、解除装置４１の操作ハンドル４２を上記実施形態と同様にして操作して、球状の頭部３２ａと略凹球面状の頭部保持凹部３０ｂとの係合を解除する。
【０１８０】
本願発明は、前述の実施形態に限らず、様々な態様に具体化できる。例えば、止水板３Ｂにおける左右一対のストッパ突起部３７は、一方のストッパ突起部３７のみが設けられている構成であってもよい。
【０１８１】
また、本願発明において、左右の支持体に取り付けられる止水板は、２枚に限定されず、１枚であってもよいし、３枚以上であってもよい。
【０１８２】
なお、止水板の下側の水平面部（下面）に設けられて床面に密着当接するパッキン部材が前後外側に向けて湾曲している構成は、上記実施形態の止水装置のみならず、止水板を上方から下向きに移動させて設置する止水装置に適用可能である。このようなパッキン部材は、例えば、支持体に設けられた対向溝に止水板を上方から落し込むことで止水板を設置する止水装置（例えば特許文献１を参照）にも適用可能である。また、このようなパッキン部材は、止水板の上下向き又は前後向きが決められている止水装置にも適用可能である。
【０１８３】
ところで、止水板の起立面部に設けた上下方向に延びるパッキン部材を支持体の止水板取付け面部に前後方向に押圧して密着させる構成では、パッキン部材の下端部が、支持体の止水板取付け面部下端と床面とが交わるコーナー部に十分に密着しない可能性がある。このような密着力不足は当該コーナー部での漏水を引き起こす虞があるので、当該コーナー部においても十分な水密性を確保することが好ましい。
【０１８４】
このような懸念を解消できる実施形態を、図３５〜図４１を参照しながら説明する。図３５〜図４１では、図１〜図１５を参照して説明した上記実施形態と同様の機能を有する部分には同じ符号を付している。
【０１８５】
図３５及び図３６に示すように、本実施形態の止水装置１０１Ｃは、間隔を空けて設置された左右の支持体１０２ＣＬ，１０２ＣＲと、左右の支持体１０２ＣＬ，１０２ＣＲに着脱可能に取り付けられて立設される止水板１０３Ｃとを備えている。支持体１０２ＣＬ，１０２ＣＲは、その下端部に連続して床面Ｆ上に配置されるコーナー部材１２６，１２６を備えている。
【０１８６】
図３７及び図３８にも示すように、止水板１０３Ｃの前後の起立面部は、屋内向きに配置される屋内側起立面部１３１Ｉと、屋外向きに配置される屋外側起立面部１３１Ｏとに区別されている。止水板１０３Ｃでは、屋内側起立面部１３１Ｉと上下の水平面部１３４とが交わる上下の角部１５１が丸みを帯びている。屋外側起立面部１３１Ｏと上下の水平面部１３４とが交わる上下の角部は略直角に形成されている。
【０１８７】
上下の水平面部１３４，１３４のそれぞれには、左右方向に延びる弾性体で形成される水平面部パッキン部材１３６が設けられている。水平面部パッキン部材１３６は、左右方向に延びる１本の弾性体で形成されており、水平面部１３４における屋外側起立面部１３１Ｏ寄りの領域に配置されている。
【０１８８】
屋内側起立面部１３１Ｉにおける左右の幅方向端部位１３１ａ，１３１ａのそれぞれに、上下方向に延びる弾性体で形成される起立面部パッキン部材１３３が設けられている。各起立面部パッキン部材１３３は、左右方向に延びる１本の弾性体で形成されている。他方、屋外側起立面部１３１Ｏには起立面部パッキン部材１３３が設けられていない。すなわち、止水板１０３Ｃには、２本の起立面部パッキン部材１３３が設けられている。
【０１８９】
上下の水平面部１３４には、左右の幅方向端部位のそれぞれに、前後方向パッキン部材１３５が設けられている。各前後方向パッキン部材１３５は、前後方向に延びる１本の弾性体で形成されている。
【０１９０】
起立面部パッキン部材１３３の上下の長さ方向端部１３３ｅは、屋内側起立面部１３１Ｉから角部１５１を経て、前後方向パッキン部材１３５の屋内側起立面部１３１Ｉ側の端部に連続している。すなわち、止水板１０３Ｃには、屋内側起立面部１３１Ｉから角部１５１を経て水平面部１３４に至るパッキン部材（起立面部パッキン部材１３３及び前後方向パッキン部材１３５）が設けられている。なお、水平面部パッキン部材１３６の左右両端部は、左右の前後方向パッキン部材１３５に隙間なく接続されている。
【０１９１】
本実施形態の止水装置１０１Ｃにおける止水板１０３Ｃのその他の構成は、図１〜図１５を参照して説明した止水装置１０１における止水板１０３Ａの構成と同様である。
【０１９２】
次に、図３５、図３６、図３９及び図４０を参照しながら、支持体１０２ＣＬ，１０２ＣＲ及びコーナー部材１２６の構成について説明する。支持体１０２ＣＬ，１０２ＣＲは、止水装置１０１の支持体１０２Ｌ，１０２Ｒ（図８及び図９等参照）と同様に、止水板取付け面部１２１を突起保持部１２２の中途部から左右内向きに突設させた平面視略Ｔ字形の柱状の形態を有する。支持体１０２ＣＬ，１０２ＣＲは、互いに左右対称の構成を有する。
【０１９３】
支持体１０２ＣＬ，１０２ＣＲの各突起保持部１２２には、上下一対の下係止溝１２３及び上係止溝１２４が１組設けられている。支持体１０２ＣＬ，１０２ＣＲには、案内部１２５（図８及び図９等参照）が設けられていない。下係止溝１２３の開口部位１２３ａの上下開口寸法は、突起保持部位１２３ｃの溝幅寸法よりも大きく形成されている。これにより、止水板１０３Ｃの係止突起部１３２を手前側（屋外側）から奥側（屋内側）へ向けて挿入しやすくなる。
【０１９４】
支持体１０２ＣＬ，１０２ＣＲにおいて、止水板取付け面部１２１の屋外向き側面１２１ａの下端部には、屋外向きに突出するコーナー部材１２６が連結されている。コーナー部材１２６は、例えば金属製又は樹脂製であり、縦断面が略直角三角形の左右方向に延びる略直角三角柱の形態を有し、直角を挟む２面（２辺）の一方が屋外向き側面１２１ａ下端部に連結され、他方が床面Ｆ上に配置される。また、コーナー部材１２６の傾斜面１２６ａ（斜辺）は、凹状に湾曲した湾曲傾斜状に形成され、屋外向き側面１２１ａから床面Ｆに向けて斜め下向き姿勢で配置される。このように、コーナー部材１２６は、止水板取付け面部１２１の屋外向き側面１２１ａと床面Ｆとが交わる角部に配設されている。なお、コーナー部材１２６と屋外向き側面１２１ａ及び床面Ｆとの間には、図示しない止水材（例えば接着剤や弾性体）が設けられており、コーナー部材１２６と屋外向き側面１２１ａ及び床面Ｆとの間の水密性が確保されている。
【０１９５】
止水装置１０１Ｃにおいて、止水板１０３Ｃを支持体１０２ＣＬ，１０２ＣＲに取り付ける際には、止水板１０３Ｃの屋内側起立面部１３１Ｉを屋内側へ向けて止水板１０３Ｃを配置し、図１０及び図１１を参照しながら説明した止水板１０３Ａを支持体１０２Ｌ，１０２Ｒに取り付ける操作と同様の操作が行われる。止水板１０３Ｃの角部１５１が丸みを帯びているとともに、角部１５１表面に配置される起立面部パッキン部材１３３の長さ方向端部１３３ｅも丸みを帯びているので、図１０（Ｃ）に示す過程と同様の過程において起立面部パッキン部材１３３と屋外向き側面１２１ａとの接触面積を小さくでき、取付過程での起立面部パッキン部材１３３の不要な変形並びにそれに伴う破損及び劣化を低減できるとともに、支持体１０２ＣＬ，１０２ＣＲへの止水板１０３Ｃの取付操作をスムーズに行える。
【０１９６】
図４１に示すように、支持体１０２ＣＬ，１０２ＣＲへの止水板１０３Ｃの取付けが完了した状態では、下側の水平面部１３４が床面Ｆに対向配置され、屋内側起立面部１３１Ｉの幅方向端部位１３１ａが支持体１２１ＣＬ，１０２ＣＲの止水板取付け面部１２１に対向配置され、角部１５１がコーナー部材１２６に対向配置される。そして、下側の水平面部パッキン部材１３６が床面Ｆに密接し、起立面部パッキン部材１３３が止水板取付け面部１２１の屋外向き側面１２１ａに密接するとともに、起立面部パッキン部材１３３の下側の長さ方向端部１３３ｅがコーナー部材１２６の傾斜面１２６ａに密接する。これにより、止水板１０３Ｃと支持体１０２ＣＬ，１０２ＣＲ及び床面Ｆとの間の水密性が確保される。そして、起立面部パッキン部材１３３の下端部が、支持体１０２ＣＬ，１０２ＣＲの止水板取付け面部１２１下端と床面Ｆとが交わるコーナー部に配設されたコーナー部材１２６に密接するので、当該コーナー部において十分な水密性を確保できる。
【０１９７】
また、本実施形態では、止水板１０３Ｃは上下対称の形態を有しているので、止水板１０３Ｃを支持体１０２ＣＲ，１０２ＣＬに取り付ける際に、止水板１０３Ｃの上下向きを確認する作業が不要になるとともに、止水板１０３Ｃの上下取付け向きの間違いが無くなり、止水板１０３Ｃを支持体１０２ＣＲ，１０２ＣＬに迅速且つ正確に取り付けることができる。
【０１９８】
なお、止水板１０３Ｃは、屋内側起立面部１３１Ｉと上下の水平面部１３４とが交わる上下の角部１５１のうち、少なくとも下側の角部１５１が丸みを帯びているとともに、屋内側起立面部１３１Ｉから下側の角部１５１を経て下側の水平面部１３４に至るパッキン部材（起立面部パッキン部材１３３及び前後方向パッキン部材１３５）を備えている構成であれば、起立面部パッキン部材１３３の下側の長さ方向端部１３３ｅが、支持体１０２ＣＬ，１０２ＣＲの止水板取付け面部１２１下端と床面Ｆとが交わるコーナー部に配設されたコーナー部材１２６に密接するので、当該コーナー部において十分な水密性を確保できる。
【０１９９】
例えば、図３７及び図３８に示した止水板１０３Ｃにおいて、上側の角部１５１は丸みを帯びていなくてもよい。この場合、上側の前後方向パッキン部材１３５及び上側の水平面部パッキン部材１３６を設けないようにしてもよい。
【０２００】
また、起立面部１３１Ｉ，１３１Ｏと上下の水平面部１３４とが交わる４つの角部の前部が丸みを帯びており、起立面部１３１Ｉ，１３１Ｏから上記角部を経て水平面部１３４に至るパッキン部材（起立面部パッキン部材１３３及び前後方向パッキン部材１３５）を備えているようにしてもよい。この場合、起立面部１３１Ｉ，１３１Ｏの区別はなくなり、図１０及び図１１を参照しながら説明した止水板１０３Ａと同様に、止水板の向きを確認する作業が不要になる。なお、水平面部パッキン部材１３６は、前後の上記角部の間で、水平面部１３４に左右方向に延びて設けられる。
【０２０１】
なお、止水板１０３Ｃのパッキン部材１３３，１３５，１３６として、止水板１０３Ａのパッキン部材１３３，１３５，１３６（図４等参照）を適用することも可能である。
【０２０２】
また、支持体１０２ＣＬ，１０２ＣＲにおいて、コーナー部材１２６は、止水板取付け面部１２１と一体形成されたものであってもよい。また、コーナー部材１２６の傾斜面１２６ａは平坦面で形成されてもよい。また、コーナー部材１２６の材料は、金属や樹脂、弾性材料（ゴム）など、特に限定されない。例えば、コーナー部材１２６は、支持体１０２ＣＬ，１０２ＣＲを床面Ｆ上に設置した後に支持体１０２ＣＬ，１０２ＣＲの止水板取付け面部１２１の屋外向き側面１２１ａと床面Ｆとが交わるコーナー部に塗布される弾性を有する止水剤（例えばコーキング剤など）で形成されてもよい。
【０２０３】
なお、弾性を有するコーナー部材１２６を、図１〜図１５を参照して説明した止水装置１０１の支持体１０２Ｌ，１０２Ｒに配設するとともに、止水板１０３Ａ又は１０３Ｂが支持体１０２Ｌ，１０２Ｒに取り付けられたときに、コーナー部材１２６を弾性変形させることで、支持体１０２Ｌ，１０２Ｒの止水板取付け面部１２１の屋外向き側面１２１ａと床面Ｆとが交わるコーナー部における水密性を向上させることができる。
【０２０４】
また、支持体１０２ＣＲ，１０２ＣＬにおいて、図４２に示すように、係止溝１２３，１２４は、開口部位１２３ａ，１２４ａが止水板１０３Ｃの係止突起部１３２の外径よりも大きな寸法で開口されており、傾斜部位１２３ｂ，１２４ｂが突起保持部位１２３ｃ，１２４ｃ側ほど狭くなる先細り状に形成されていてもよい。これにより、支持体１０２ＣＲ，１０２ＣＬに止水板１０３ｃを取り付ける際に、係止溝１２３，１２４への係止突起部１３２の挿入操作が容易になる。また、この変形例では、上係止溝１２４の開口部位１２４ａは、支持体１０２ＣＲ，１０２ＣＬの突起保持部１２２の上端面及び屋外向き端面１２２ｂに開口しているので、係止溝１２３，１２４への係止突起部１３２の挿入操作がさらに容易になる。
【０２０５】
なお、図４２に示した係止溝１２３，１２４の形状は、図１〜図１５を参照して説明した止水装置１０１の支持体１０２Ｌ，１０２Ｒの係止溝１２３，１２４に適用可能であることは言うまでもない。
【０２０６】
本実施形態は、間隔を空けて設置された左右の支持体１０２ＣＲ，１０２ＣＬと、左右の前記支持体１０２ＣＲ，１０２ＣＬに着脱可能に取り付けられて立設される止水板１０３Ｃとを備えた止水装置１０１Ｃであって、前記止水板１０３Ｃは、屋内側の起立面部１３１Ｉと下側の水平面部１３４とが交わる角部１５１が丸みを帯びているとともに、前記支持体１０２ＣＲ，１０２ＣＬの止水板取付け面部１２１に対向配置される前記起立面部１３１Ｉの幅方向端部位１３１ａにおいて前記起立面部１３１Ｉから前記角部１５１を経て前記水平面部１３４に至るパッキン部材１３３，１３５を備え、前記支持体１０２ＣＲ，１０２ＣＬの止水板取付け面部１２１の下端と床面Ｆとが交わるコーナー部にコーナー部材１２６が配設されるとともに、前記止水板１０３Ｃが前記止水板取付け面部１２１及び前記床面Ｆへ向けて付勢された状態で前記支持体１０２ＣＲ，１０２ＣＬに取り付けられて、前記パッキン部材１３３，１３５が前記止水板取付け面部１２１、前記コーナー部材１２６及び前記床面Ｆに密着する、という構成を有する。
【０２０７】
そして、このような構成は、間隔を空けて設置された左右の支持体と、左右の前記支持体に着脱可能に取り付けられて立設される止水板とを備えた止水装置であって、止水板は、屋内側の起立面部と下側の水平面部とが交わる角部を備え、前記支持体の止水板取付け面部に対向配置される前記起立面部の幅方向端部位において前記起立面部から前記角部を経て前記水平面部に至るパッキン部材を備え、前記止水板が前記止水板取付け面部及び前記床面へ向けて付勢された状態で前記支持体に取り付けられる、という止水装置に適用可能である。そして、前記止水板の前記角部が丸みを帯びているとともに、前記支持体の止水板取付け面部の下端と床面とが交わるコーナー部にコーナー部材が配設され、前記止水板が前記止水板取付け面部及び前記床面へ向けて付勢された状態で前記支持体に取り付けられて、前記パッキン部材が前記止水板取付け面部、前記コーナー部材及び前記床面に密着することで、前記止水板と前記支持体及び床面との間の良好な水密性が確保される。
【０２０８】
例えば、このような構成は、図１６〜図３４を参照して説明した止水装置１にも適用可能である。
【符号の説明】
【０２０９】
１  止水装置
２Ｌ  支持体
２Ｒ  支持体
３Ａ  止水板
３Ｂ  止水板
２１  止水板取付け面部
２２  係止穴
２２ａ  頭部挿通穴
２２ｂ  軸部挿通溝
２２ｃ  下辺
２３  左右外側面部
２４  左右内側面部
２５  カバー部
２６  底面部
２７  天面部
２８  側面固定ネジ
２９  底面固定ネジ
３０  頭部保持部
３０ａ  頭部スライド面
３０ｂ  頭部保持凹部
３１  起立面部
３１ａ  幅方向端部位
３１ｂ  取っ手凹部
３２  係止突起部
３２ａ  頭部
３２ｂ  軸部
３２ｃ  取付板部
３２ｄ  補強リブ
３３  起立面部パッキン部材
３３ａ  水膨張性止水材
３３ｂ  耐水性止水材
３４  水平面部
３５  前後方向パッキン部材
３５ａ  水膨張性止水材
３５ｂ  耐水性止水材
３７  ストッパ突起部
３８  ストッパ受け凹部
３９  ストッパ配置領域
４０  床面ストッパ受け凹部
４１  解除装置
４２  操作ハンドル
４２ａ  把持部
４２ｂ  作用部
４３  ベース部材
４４  ハンドル固定部材
４５  ヒンジ部材
１０１  止水装置
１０２Ｌ  支持体
１０２Ｒ  支持体
１０３Ａ  止水板
１０３Ｂ  止水板
１２１  止水板取付け面部
１２１ａ  屋外向き側面
１２２  突起保持部
１２２ａ  左右内向き側面
１２２ｂ  屋外向き端面
１２３  下係止溝
１２３ａ  開口部位
１２３ｂ  傾斜部位
１２３ｃ  突起保持部位
１２３ｄ  湾曲部位
１２４  上係止溝
１２４ａ  開口部位
１２４ｂ  傾斜部位
１２４ｃ  突起保持部位
１２４ｄ  切欠き部位
１２５  案内部
１２５ａ  案内部上面
１３１  起立面部
１３１ａ  幅方向端部位
１３１ｂ  取っ手凹部
１３２  係止突起部
１３３  起立面部パッキン部材
１３３ａ  水膨張性止水材
１３３ｂ  耐水性止水材
１３４  水平面部
１３４ａ  ストッパ配置領域
１３５  前後方向パッキン部材
１３５ａ  水膨張性止水材
１３５ｂ  耐水性止水材
１３６  水平面部パッキン部材
１３６ａ  止水材
１３６ｂ  押圧部材
１３７  ストッパ突起部
１３８  ストッパ受け凹部
１３９  幅方向端面部
１４０  床面ストッパ受け凹部
Ｃ  左右方向中心線
Ｅ  出入口
Ｆ  床面
Ｓ  異物
Ｗ  側壁
【図１】
2019214921.tif 000003
【図２】
2019214921.tif 000004
【図３】
2019214921.tif 000005
【図４】
2019214921.tif 000006
【図５】
2019214921.tif 000007
【図６】
2019214921.tif 000008
【図７】
2019214921.tif 000009
【図８】
2019214921.tif 000010
【図９】
2019214921.tif 000011
【図１０】
2019214921.tif 000012
【図１１】
2019214921.tif 000013
【図１２】
2019214921.tif 000014
【図１３】
2019214921.tif 000015
【図１４】
2019214921.tif 000016
【図１５】
2019214921.tif 000017
【図１６】
2019214921.tif 000018
【図１７】
2019214921.tif 000019
【図１８】
2019214921.tif 000020
【図１９】
2019214921.tif 000021
【図２０】
2019214921.tif 000022
【図２１】
2019214921.tif 000023
【図２２】
2019214921.tif 000024
【図２３】
2019214921.tif 000025
【図２４】
2019214921.tif 000026
【図２５】
2019214921.tif 000027
【図２６】
2019214921.tif 000028
【図２７】
2019214921.tif 000029
【図２８】
2019214921.tif 000030
【図２９】
2019214921.tif 000031
【図３０】
2019214921.tif 000032
【図３１】
2019214921.tif 000033
【図３２】
2019214921.tif 000034
【図３３】
2019214921.tif 000035
【図３４】
2019214921.tif 000036
【図３５】
2019214921.tif 000037
【図３６】
2019214921.tif 000038
【図３７】
2019214921.tif 000039
【図３８】
2019214921.tif 000040
【図３９】
2019214921.tif 000041
【図４０】
2019214921.tif 000042
【図４１】
2019214921.tif 000043
【図４２】
2019214921.tif 000044